(57)【要約】トラッキング制御に及ぼす影響を抑えながらガイド層に好適に情報が記録された記録媒体に対して、記録再生動作を行う。記録再生装置（１００）は、ガイドトラック（ＴＲ、ＧＴ、ＬＴ）が形成されているガイド層（１２）と記録層（１３）とを備える記録媒体であって、ガイドレーザ光（ＬＢ１）のビームスポットに包含される複数のガイドトラックの夫々の同一回転位相位置に、トラック中心を基準として左右に所定距離シフトしている一対の記録マーク（ＭＬ、ＭＲ）が組み合わせられた同一のマーク群（ＭＧ）が形成されている記録媒体（１１）に対して記録再生動作を行い、ガイドレーザ光の戻り光から得られるプッシュプル信号に基づいてビットデータを読み取る読取手段（１０３）と、ビットデータが構成する制御情報に基づいて、記録層に対する記録再生動作を行う記録再生手段（１１１）とを備える。
2013108400.tif 000002
【特許請求の範囲】
【請求項１】
(i-1)トラッキング用のガイドトラックが形成されているガイド層と、(i-2)前記ガイド層上に積層されている複数の記録層とを備える記録媒体であって、(ii)前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体に対して記録動作及び再生動作の少なくとも一方を行う記録再生装置であって、
前記ガイド層からの前記ガイドレーザ光の戻り光から得られるプッシュプル信号に基づいて、前記マーク群に応じたビットデータを読み取る読取手段と、
前記読取手段が読み取ったビットデータに基づいて、前記複数の記録層に対する前記記録動作及び前記再生動作の少なくとも一方を行う記録再生手段と
を備えることを特徴とする記録再生装置。
【請求項２】
前記読取手段は、前記マーク群を構成する前記一対の記録マークの組み合わせに応じた前記ビットデータを読み取ることを特徴とする請求項１に記載の記録再生装置。
【請求項３】
前記読取手段は、前記マーク群を構成する前記一対の記録マークの組み合わせに応じた前記プッシュプル信号のレベル変動に基づいて、前記ビットデータを読み取ることを特徴とする請求項１に記載の記録再生装置。
【請求項４】
前記一対の記録マークの深さは、λ／６ｎ（但し、λは前記ガイドレーザ光の波長であり、ｎは当該記録媒体の基板屈折率）未満であることを特徴とする請求項１に記載の記録再生装置。
【請求項５】
前記一対の記録マークの深さは、λ／８ｎ（但し、λは前記ガイドレーザ光の波長であり、ｎは当該記録媒体の基板屈折率）であることを特徴とする請求項１に記載の記録再生装置。
【請求項６】
前記複数のガイドトラックの夫々の同一回転位相位置に、同一の前記マーク群が形成されていることを特徴とする請求項１に記載の記録再生装置。
【請求項７】
前記複数のガイドトラックのうち中心付近に位置する少なくとも一つのガイドトラックを除く他のガイドトラックの夫々の同一回転位相位置に、同一の前記マーク群が形成されていることを特徴とする請求項１に記載の記録再生装置。
【請求項８】
前記複数のガイドトラックのうち最も外側に位置する少なくとも一つのガイドトラックを除く他のガイドトラックの夫々の同一回転位相位置に、前記一対の記録マークが組み合わせられた同一の前記マーク群が形成されており、
前記最も外側に位置する少なくとも一つのガイドトラックの同一回転位相位置に、前記一対の記録マークに代えて、前記少なくとも一つのガイドトラックのトラック中心を基準として前記ビームスポットの中心方向に前記所定距離シフトしている単一の記録マークが組み合わせられたマーク群が形成されていることを特徴とする請求項１に記載の記録再生装置。
【請求項９】
前記マーク群は、(i)前記一対の記録マークが組み合わせられたマーク群と、(ii)前記一対の記録マーク及び前記夫々のガイドトラックのトラック中心上に位置する他の記録マークが組み合わせられたマーク群とを含み、
前記読取手段は、前記他の記録マークに対応する前記プッシュプル信号の信号レベルを基準として前記一対の記録マークに対応する前記プッシュプル信号の信号レベルを識別することで、前記ビットデータを読み取ることを特徴とする請求項１に記載の記録再生装置。
【請求項１０】
前記一対の記録マークが組み合わせられたマーク群は、前記ガイド層に記録されるべき所定のビットデータを示すマーク群であり、
前記一対の記録マーク及び前記トラック中心上に位置する他の記録マークが組み合わせられたマーク群は、前記ビットデータを読み取るときの同期をとるために用いられる同期データを示すマーク群であることを特徴とする請求項９に記載の記録再生装置。
【請求項１１】
前記マーク群は、当該マーク群に前記ガイドレーザ光を照射することで得られるプッシュプル信号の信号レベルの平均値がゼロになるように前記一対の記録マークが組み合わせられることで形成されていることを特徴とする請求項１に記載の記録再生装置。
【請求項１２】
前記マーク群は、前記トラック中心を基準として左側にシフトしている記録マークの数と前記トラック中心を基準として右側にシフトしている記録マークの数とが等しくなるように形成されていることを特徴とする請求項１に記載の記録再生装置。
【請求項１３】
複数の異なる前記マーク群が、当該記録媒体上の複数個所に離散的に形成されており、
前記記録再生手段は、前記複数の異なるマーク群に応じた複数のビットデータを組み合わせることで得られる制御情報に基づいて、前記複数の記録層に対する前記記録動作及び前記再生動作の少なくとも一方を行うことを特徴とする請求項１に記載の記録再生装置。
【請求項１４】
一のガイドトラックを中心に含む複数のガイドトラックの夫々の同一位相位置に形成される一のマーク群は、前記一のガイドトラックとは異なる他のガイドトラックを中心に含む複数のガイドトラックの夫々の同一回転位相位置に形成される他のマーク群とは異なる回転位相位置に形成されることを特徴とする請求項１に記載の記録再生装置。
【請求項１５】
前記ガイドトラックは、交互に形成されたグルーブトラック及びランドトラックを含み、
前記ビームスポットに包含される複数のグルーブトラックの夫々の同一位相位置に、当該夫々のグルーブトラックのトラック中心を基準として左右に所定距離シフトしている一対の記録マークが組み合わせられたマーク群が形成されており、
前記ビームスポットに包含される複数のランドトラックの夫々の同一位相位置に、当該夫々のランドトラックのトラック中心を基準として左右に所定距離シフトしている一対の記録マークが組み合わせられたマーク群が形成されていることを特徴とする請求項１に記録再生装置。
【請求項１６】
前記ランドトラックに形成されるマーク群は、当該ランドトラックに隣接する２つのグルーブトラックを形成するときに同時に形成されるマーク群として形成されることを特徴とする請求項１５に記載の記録再生装置。
【請求項１７】
(i-1)トラッキング用のガイドトラックが形成されているガイド層と、(i-2)前記ガイド層上に積層されている複数の記録層とを備える記録媒体であって、(ii)前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体に対して記録動作及び再生動作の少なくとも一方を行う記録再生方法であって、
前記ガイド層からの前記ガイドレーザ光の戻り光から得られるプッシュプル信号に基づいて、前記マーク群に応じたビットデータを読み取る読取工程と、
前記読取工程が読み取ったビットデータに基づいて、前記複数の記録層に対する前記記録動作及び前記再生動作の少なくとも一方を行う記録再生工程と
を備えることを特徴とする記録再生方法。
【発明の詳細な説明】
【技術分野】
【０００１】
本発明は、例えば多数の記録層を備える光ディスク等の記録媒体に対する記録動作及び再生動作の少なくとも一方を行う記録再生装置及び方法の技術分野に関する。
【背景技術】
【０００２】
多数の記録層を備える記録媒体として、例えば記録動作及び再生動作の少なくとも一方の実際の対象となる複数の記録層と、トラッキング用のガイドトラックが形成されたガイド層とを有する記録媒体（例えば、いわゆるガイド層分離型光ディスク）が知られている（特許文献１等参照）。このような記録媒体に対する記録動作及び再生動作の少なくとも一方を行う記録再生装置は、ガイド層のガイドトラックを読み取るためのガイドレーザ光と、記録層に対する記録動作及び再生動作の少なくとも一方を行うための記録再生レーザ光とを照射する。記録再生装置は、ガイドレーザ光の戻り光から得られるプッシュプル信号に基づいてトラッキング制御を行いながら、記録再生用レーザ光を記録層に照射することで記録動作及び再生動作の少なくとも一方を行う。【０００３】
尚、ガイド層分離型光ディスクを開示する先行技術文献ではないものの、後述する本発明に関連する先行技術文献として、特許文献２から特許文献８があげられる。
【先行技術文献】
【特許文献】
【０００４】
【特許文献１】特許第４０３７０３４公報
【特許文献２】特許第３７２９４６７公報
【特許文献３】特開２００３−３２３７２５号公報
【特許文献４】特開２００４−１７８７８１号公報
【特許文献５】特開平８−２７９１６０号公報
【特許文献６】特開平８−４５０８０号公報
【特許文献７】特許第３２０５１５４号公報
【特許文献８】特許第３６９３８１３号公報
【発明の概要】
【発明が解決しようとする課題】
【０００５】
ところで、このような記録媒体では、何らかのデータ（例えば、アドレス情報やクロック情報や記録開始タイミング情報等の制御情報を示すデータ）をガイド層に予め記録しておきたいという要請がある。この場合、記録層上に記録される記録マーク及び記録スペースの組み合わせと同様に、記録マーク及び記録スペースの組み合わせをガイド層にも形成することで、データをガイド層に記録する方法が一例として想定される。【０００６】
しかしながら、当該記録マーク及び記録スペースの組み合わせをガイド層に形成することでデータがガイド層に記録される場合には、記録再生装置は、ガイドレーザ光の戻り光から、トラッキング用のプッシュプル信号のみならず、制御情報を読み取るためのＲＦ信号（いわゆる、総和信号）を取得する必要がある。しかしながら、プッシュプル信号の特性とＲＦ信号の特性とが異なることに起因して、プッシュプル信号及びＲＦ信号の双方を同時に取得することは、プッシュプル信号の取得の精度に何らかの影響を与えかねないという技術的な問題点が生ずる。つまり、プッシュプル信号及びＲＦ信号の双方を同時に取得することは、ガイド層の本来の目的であるトラッキング制御に何らかの影響を与えかねないという技術的な問題点が生ずる。【０００７】
本発明は、上述した多数の記録層を備える光ディスクにおいて、トラッキング用のガイドトラックが形成されたガイド層に対して、トラッキング制御に及ぼす影響を抑えながら好適にデータを記録することが可能な記録媒体に対する記録動作及び再生動作の少なくとも一方を行う記録再生装置及び方法を提供することを課題とする。
【課題を解決するための手段】
【０００８】
上記課題を解決するために、記録再生装置は、(i-1)トラッキング用のガイドトラックが形成されているガイド層と、(i-2)前記ガイド層上に積層されている複数の記録層とを備える記録媒体であって、(ii)前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体に対して記録動作及び再生動作の少なくとも一方を行う記録再生装置であって、前記ガイド層からの前記ガイドレーザ光の戻り光から得られるプッシュプル信号に基づいて、前記マーク群に応じたビットデータを読み取る読取手段と、前記読取手段が読み取ったビットデータから構成される制御情報に基づいて、前記複数の記録層に対する前記記録動作及び前記再生動作の少なくとも一方を行う記録再生手段とを備える。【０００９】
上記課題を解決するために、記録再生方法は、(i-1)トラッキング用のガイドトラックが形成されているガイド層と、(i-2)前記ガイド層上に積層されている複数の記録層とを備える記録媒体であって、(ii)前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体に対して記録動作及び再生動作の少なくとも一方を行う記録再生方法であって、前記ガイド層からの前記ガイドレーザ光の戻り光から得られるプッシュプル信号に基づいて、前記マーク群に応じたビットデータを読み取る読取工程と、前記読取工程が読み取ったビットデータに基づいて、前記複数の記録層に対する前記記録動作及び前記再生動作の少なくとも一方を行う記録再生工程とを備える。
【図面の簡単な説明】
【００１０】
【図１】一枚の光ディスクを構成する複数の層を、その積層方向（図１中、上下方向）について相互に間隔をあけて分解することで、各層を見易くしてなる模式的な斜視図である。
【図２】光ディスクの断面を、ガイドレーザ光及び記録再生レーザ光の照射態様と共に示す断面図である。
【図３】グルーブトラックに形成されるマーク群を構成する一対の記録マークの構成を示す平面図である。
【図４】グルーブトラックに形成されるマーク群によって多種類のデータ（具体的には、ビットデータ及び同期データ）が記録される態様を示す平面図である。
【図５】ランドトラックに形成されるマーク群を構成する一対の記録マークの構成を示す平面図である。
【図６】ランドトラックに形成されるマーク群によって多種類のデータ（具体的には、ビットデータ及び同期データ）が記録される態様を示す平面図である。
【図７】ガイド層（更には、記録層）のデータ構造を示すデータ構造図である。
【図８】特定のスロットに形成されるマーク群の一例を示す平面図である。
【図９】複数のマーク群が複数のスロットに分散して記録される態様を示す平面図である。
【図１０】グルーブトラックの凹部の深さ（つまり、ランドトラックに対するグルーブトラックの相対的な深さ）とプッシュプル信号及びＲＦ信号の信号レベルとの関係を示すグラフである。
【図１１】単一のグルーブトラック上にマーク群が形成される比較例を示す平面図である。
【図１２】フォーカス偏差とプッシュプル信号の振幅との間の関係を示すグラフである。
【図１３】ガイド層でのガイドレーザ光のビームスポットとグルーブトラック並びに一対の記録マークとの位置関係を示す平面図である。
【図１４】一対の記録マーク並びにトラック中心上に位置する記録マークが含まれる同期データを構成するマーク群から得られるプッシュプル信号を示すグラフである。
【図１５】グルーブトラックに形成されるマーク群によって多種類のデータが記録される態様の第１変形例を示す平面図である。
【図１６】ランドトラックに形成されるマーク群によって多種類のデータが記録される態様の第１変形例を示す平面図である。
【図１７】ランドトラックに形成されるマーク群によって多種類のデータが記録される態様の第２変形例を示す平面図である。
【図１８】ランドトラックに形成されるマーク群によって多種類のデータが記録される態様の第３変形例を示す平面図である。
【図１９】グルーブトラックに形成されるマーク群によって多種類のデータが記録される態様の第４変形例を示す平面図である。
【図２０】ランドトラックに形成されるマーク群によって多種類のデータが記録される態様の第４変形例を示す平面図である。
【図２１】グルーブトラックに形成されるマーク群によって多種類のデータが記録される態様の第５変形例を示す平面図である。
【図２２】ランドトラックに形成されるマーク群によって多種類のデータが記録される態様の第５変形例を示す平面図である。
【図２３】グルーブトラックに形成されるマーク群によって多種類のデータが記録される態様の第６変形例を示す平面図である。
【図２４】グルーブトラックに形成されるマーク群によって多種類のデータが記録される態様の第７変形例を示す平面図である。
【図２５】グルーブトラックに形成されるマーク群によって多種類のデータが記録される態様の第８変形例を示す平面図である。
【図２６】ランドトラックに形成されるマーク群によって多種類のデータが記録される態様の第９変形例を示す平面図である。
【図２７】本実施例の記録再生装置の構成を示すブロック図である。
【図２８】信号記録再生部の構成を示すブロック図である。
【図２９】本実施例の記録再生装置の動作の全体の流れを示すフローチャートである。
【図３０】本実施例の記録再生装置の記録動作（図２９のステップＳ５０）の流れを示すフローチャートである。
【図３１】本実施例の記録再生装置の再生動作（図２９のステップＳ７０）の流れを示すフローチャートである。
【発明を実施するための形態】
【００１１】
以下、記録再生装置及び方法の実施形態について順に説明する。
【００１２】
（記録再生装置の実施形態）
＜１＞
本実施形態の記録再生装置は、(i-1)トラッキング用のガイドトラックが形成されているガイド層と、(i-2)前記ガイド層上に積層されている複数の記録層とを備える記録媒体であって、(ii)前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体に対して記録動作及び再生動作の少なくとも一方を行う記録再生装置であって、前記ガイド層からの前記ガイドレーザ光の戻り光から得られるプッシュプル信号に基づいて、前記マーク群に応じたビットデータを読み取る読取手段と、前記読取手段が読み取ったビットデータから構成される制御情報に基づいて、前記複数の記録層に対する前記記録動作及び前記再生動作の少なくとも一方を行う記録再生手段とを備える。
【００１３】
本実施形態の記録再生装置による記録動作及び再生動作の少なくとも一方の対象となる記録媒体によれば、ガイド層と複数の記録層とを備えている。ガイド層には、トラッキング用のガイドトラックが形成されている。このため、当該記録媒体に対して（より具体的には、当該記録媒体が備える複数の記録層に対して）記録動作及び再生動作の少なくとも一方を行う記録再生装置は、ガイド層に照射されるガイドレーザ光の戻り光（つまり、ガイド層によって反射されたガイドレーザ光）に基づいて、ガイドトラックとガイドレーザ光のビームスポットとの位置関係に応じたプッシュプル信号を取得することができる。その結果、記録再生装置は、当該プッシュプル信号に基づいて、トラッキング制御を行うことができる。
【００１４】
本実施形態では、ガイド層には、マーク群が形成されている。具体的には、マーク群は、ガイドレーザ光がガイド層上で形成するビームスポットに包含される複数のガイドトラックのうちの少なくとも二つのガイドトラックの夫々の同一回転位相位置に形成される。つまり、同一のビットデータ（例えば、１ビットから数ビットないしは十数ビットのビットデータ）を示す同一のマーク群が、ガイドレーザ光のビームスポットに包含される複数のガイドトラックのうちの少なくとも二つのガイドトラックの夫々に、ガイドトラックの進行方向に対して直交する方向に沿って隣接するように形成されている。このとき、マーク群は、ガイドレーザ光がガイド層上で形成するビームスポットに包含される複数のガイドトラックのうちの少なくとも二つのガイドトラックに形成される。つまり、同一のマーク群が形成されるガイドトラックの数は、ガイドレーザ光のビームスポットに包含されるガイドトラックの数以下となり且つ２以上となる。
【００１５】
更に、少なくとも二つのガイドトラックの夫々の同一回転位相位置に形成されるマーク群は、ガイドトラックのトラック中心を基準として左右に所定距離シフトしている一対の記録マークが組み合わせられたマーク群である。つまり、マーク群は、トラック中心を基準として左側に所定距離シフトしている記録マークとトラック中心を基準として右側に所定距離シフトしている記録マークとを含む一対の記録マークが、任意の態様で組み合わせられたマーク群となる。このような一対の記録マークとして、トラック中心を基準として左側に所定距離シフトしている記録マークとトラック中心を基準として右側に所定距離シフトしている記録マークとがガイドトラックの進行方向に沿ってこの順に配列している一対の記録マークや、トラック中心を基準として右側に所定距離シフトしている記録マークとトラック中心を基準として左側に所定距離シフトしている記録マークとがガイドトラックの進行方向に沿ってこの順に配列している一対の記録マークが一例としてあげられる。従って、マーク群は、このような一対の記録マークが１つだけ組み合わせられたマーク群（つまり、一対の記録マークそのものと一致するマーク群）であってもよいし、このような一対の記録マークが任意の態様で組み合わせられたマーク群であってもよい。或いは、マーク群は、後述するように、このような一対の記録マークとその他の記録マーク（例えば、トラック中心上に位置する記録マーク）とが任意の態様で組み合わせられたマーク群であってもよい。
【００１６】
より具体的な構成を例示して説明する。例えば、ガイドレーザ光のビームスポットに３本のガイドトラックが包含されるとする。この場合、第ｋ（但し、ｋは１以上の整数）番目のガイドトラック、第ｋ＋１番目のガイドトラック及び第ｋ＋２番目のガイドトラックのうちの少なくとも二つのガイドトラックの同一回転位相位置に、同一のマーク群が形成される。例えば、第ｋ番目のガイドトラックの回転位相位置がｘ（但し、ｘは０≦ｘ≦３６０を満たす実数）°となる位置及び第ｋ＋２番目のガイドトラックの回転位相位置がｘ°となる位置に、同一のマーク群が形成される。より具体的には、例えば、第１番目のガイドトラックの回転位相位置が１０°となる位置及び第３番目のガイドトラックの回転位相位置が１０°となる位置に、トラック中心を基準として左側に所定距離シフトしている記録マークとトラック中心を基準として右側に所定距離シフトしている記録マークとがガイドトラックの進行方向に沿ってこの順に配列している一対の記録マークそのものとなるマーク群が形成されてもよい。他方で、例えば、第４番目のガイドトラックの回転位相位置が６０°となる位置及び第６番目のガイドトラックの回転位相位置が６０°となる位置に、トラック中心を基準として右側に所定距離シフトしている記録マークとトラック中心を基準として左側に所定距離シフトしている記録マークとがガイドトラックの進行方向に沿ってこの順に配列している一対の記録マークそのものとなるマーク群が形成されてもよい。
【００１７】
尚、ガイド層に形成されるマーク群の全てが、上述した一対の記録マークが組み合わせられたマーク群でなくともよい。例えば、ガイド層に形成されるマーク群の一部が上述した一対の記録マークそのもの（或いは、上述した一対の記録マークの組み合わせ）となるマーク群である一方で、ガイド層に形成されるマーク群の他の一部が上述した一対の記録マークを含まない任意の記録マーク（例えば、トラック中心上に位置する記録マーク）であってもよい。
【００１８】
本実施形態の記録再生装置は、このようなマーク群が形成される本実施形態の記録媒体に対して記録動作及び再生動作の少なくとも一方を行う。具体的には、読取手段は、ガイドレーザ光の戻り光から得られるプッシュプル信号に基づいて、マーク群に応じたビットデータ（例えば、上述したように、マーク群を構成する一対の記録マークの組み合わせに応じたビットデータ）を読み取る。記録再生手段は、当該ビットデータに基づいて、複数の記録層に対する記録動作及び再生動作の少なくとも一方を行う。このため、本実施形態の記録再生装置によれば、以下に示す利点がある。
【００１９】
まず、本実施形態によれば、ガイド層に形成されるマーク群は、ガイドトラックのトラック中心を基準として左右に所定距離シフトしている一対の記録マークが組み合わせられたマーク群である。このため、このようなマーク群をガイド層に形成したとしても、当該マーク群がプッシュプル信号に及ぼし得る信号レベルの変動の平均値はゼロ（但し、実質的にゼロと同視し得る程度のマージンを含む）となる。従って、マーク群の存在がプッシュプル信号に基づくトラッキング制御に悪影響を及ぼすことは殆ど或いは全くなくなる。従って、記録再生装置は、好適なトラッキング制御を行いながら、複数の記録層に対する記録動作及び再生動作の少なくとも一方を行うことができる。
【００２０】
その一方で、マーク群を構成する一対の記録マークの組み合わせの違いに応じて、マーク群に異なるビットデータを割り当てることで、当該マーク群を用いてビットデータをガイド層に記録することができる。このようなビットデータ（つまり、一対の記録マークの組み合わせの違い）は、プッシュプル信号の信号レベルの変動の瞬時値の変化を監視することで容易に読み取ることができる。従って、本実施形態によれば、プッシュプル信号を用いて読み取ることができるビットデータを、ガイド層に記録することができる。言い換えれば、本実施形態によれば、ＲＦ信号（言い換えれば、総和信号）を用いて読み取らなくともよいビットデータを、ガイド層に記録することができる。従って、記録再生装置は、プッシュプル信号に基づいて、ガイド層に予め形成されたマーク群に応じたビットデータを好適に読み取りながら、複数の記録層に対する記録動作及び再生動作の少なくとも一方を行うことができる。
【００２１】
加えて、本実施形態によれば、ガイドレーザ光のビームスポットに包含される複数のガイドトラックのうちの少なくとも二つのガイドトラックの夫々の同一回転位相位置に同一のマーク群が形成される。従って、後に図面を用いて詳述するように、記録再生装置は、ガイドレーザ光のフォーカスオフセットの偏差（いわゆる、デフォーカス）に影響を受けることなく、マーク群に応じたビットデータを読み取ることができる。
【００２２】
このように、本実施形態の記録再生装置によれば、トラッキング用のガイドトラックが形成されたガイド層に対して、トラッキング制御に及ぼす影響を抑えながら好適にデータ（例えば、上述のビットデータ等）を記録することができる。
【００２３】
＜２＞
本実施形態の記録再生装置の他の態様では、前記読取手段は、前記マーク群を構成する前記一対の記録マークの組み合わせに応じた前記ビットデータを読み取る。
【００２４】
この態様によれば、読取手段は、プッシュプル信号に基づいて、マーク群を構成する一対の記録マークの組み合わせに応じたビットデータ（例えば、マーク群を構成する一対の記録マークの組み合わせの違いに応じたビットデータ）を好適に読み取ることができる。
【００２５】
＜３＞
本実施形態の記録再生装置の他の態様では、前記読取手段は、前記マーク群を構成する前記一対の記録マークの組み合わせに応じた前記プッシュプル信号のレベル変動に基づいて、前記ビットデータを読み取る。
【００２６】
この態様によれば、読取手段は、プッシュプル信号に基づいて、マーク群を構成する一対の記録マークの組み合わせに応じたビットデータ（例えば、マーク群を構成する一対の記録マークの組み合わせの違いに応じたビットデータ）を好適に読み取ることができる。
【００２７】
＜４＞
本実施形態の記録再生装置の他の態様では、前記一対の記録マークの深さは、λ／６ｎ（但し、λは前記ガイドレーザ光の波長であり、ｎは当該記録媒体の基板屈折率）未満である。
【００２８】
この態様によれば、上述したようにプッシュプル信号を用いてトラッキング制御及びマーク群の読取（つまり、マーク群が示すビットデータの読取）の双方が行われるため、記録マークの深さを、プッシュプル信号の信号レベルの特性に合わせて設定することができる。つまり、記録マークの深さを、ＲＦ信号の信号レベルの特性を考慮することなく、プッシュプル信号の信号レベルの特性に合わせて設定することができる。
【００２９】
＜５＞
本実施形態の記録再生装置の他の態様では、前記一対の記録マークの深さは、λ／８ｎ（但し、λは前記ガイドレーザ光の波長であり、ｎは当該記録媒体の基板屈折率）である。
【００３０】
この態様によれば、上述したようにプッシュプル信号を用いてトラッキング制御及びマーク群の読取（つまり、マーク群が示すビットデータの読取）の双方が行われるため、記録マークの深さを、プッシュプル信号の信号レベルの特性が最良となる深さに設定することができる。つまり、記録マークの深さを、ＲＦ信号の信号レベルの特性を考慮することなく、プッシュプル信号の信号レベルの特性が最良となる深さに設定することができる。
【００３１】
＜６＞
本実施形態の記録再生装置の他の態様では、前記複数のガイドトラックの夫々の同一回転位相位置に、同一の前記マーク群が形成されている。
【００３２】
この態様によれば、ガイドレーザ光のビームスポットに包含される複数のガイドトラックの夫々の同一回転位相位置に同一のマーク群が形成される。つまり、ガイドレーザ光のビームスポットに包含される複数のガイドトラックの全ての同一回転位相位置に同一のマーク群が形成される。つまり、同一のマーク群が形成されるガイドトラックの数は、ガイドレーザ光のビームスポットに包含されるガイドトラックの数とほぼ等しい。尚、ここで言う「ほぼ等しい」とは、フォーカスオフセットの状態（例えば、フォーカスオフセットの量）によって変動し得るビームスポットの大きさのマージンを考慮した上で概ね等しいと同視し得る状態を含む趣旨である。従って、後に図面を用いて詳述するように、記録再生装置は、ガイドレーザ光のフォーカスオフセットの偏差（いわゆる、デフォーカス）に影響をより一層受けることなく、マーク群に応じたビットデータを読み取ることができる。
【００３３】
＜７＞
本実施形態の記録再生装置の他の態様では、前記複数のガイドトラックのうち中心付近に位置する少なくとも一つのガイドトラックを除く他のガイドトラックの夫々の同一回転位相位置に、同一の前記マーク群が形成されている。
【００３４】
この態様によれば、ガイドレーザ光のビームスポットに包含される複数のガイドトラックのうちの中心付近に位置する少なくとも一つ（好ましくは、一つ）のガイドトラックには、マーク群を形成しなくともよくなる。このため、マーク群の形成（言い換えれば、このようなマーク群が形成された記録媒体の製造）が相対的には簡略化される。
【００３５】
＜８＞
本実施形態の記録再生装置の他の態様では、前記複数のガイドトラックのうち最も外側に位置する少なくとも一つのガイドトラックを除く他のガイドトラックの夫々の同一回転位相位置に、前記一対の記録マークが組み合わせられた同一の前記マーク群が形成されており、前記最も外側に位置する少なくとも一つのガイドトラックの同一回転位相位置に、前記一対の記録マークに代えて、前記少なくとも一つのガイドトラックのトラック中心を基準として前記ビームスポットの中心方向に前記所定距離シフトしている単一の記録マークが組み合わせられたマーク群が形成されている。
【００３６】
この態様によれば、最も外側のガイドトラックに形成されるマーク群を構成する一対の記録マークは、その一部がガイドレーザ光のビームスポットに包含されなくなる可能性がある。このため、この態様によれば、ガイドレーザ光のビームスポットに包含されなくなる可能性がある一対の記録マークのうちの一方を、トラック中心を基準としてシフトさせなくともよくなる。このため、マーク群の形成（言い換えれば、このようなマーク群が形成された記録媒体の製造）が相対的には簡略化される。
【００３７】
＜９＞
本実施形態の記録再生装置の他の態様では、前記マーク群は、(i)前記一対の記録マークが組み合わせられたマーク群と、(ii)前記一対の記録マーク及び前記夫々のガイドトラックのトラック中心上に位置する他の記録マークが組み合わせられたマーク群とを含み、前記読取手段は、前記他の記録マークに対応する前記プッシュプル信号の信号レベルを基準として前記一対の記録マークに対応する前記プッシュプル信号の信号レベルを識別することで、前記ビットデータを読み取る。
【００３８】
この態様によれば、一対の記録マークが組み合わせられたマーク群に加えて、一対の記録マークとトラック中心上に位置する他の記録マークとが組み合わせられたマーク群が、ガイド層に形成される。このため、記録再生装置は、一対の記録マークとトラック中心上に位置する他の記録マークとが組み合わせられたマーク群を読み取ることで、一対の記録マークに応じたプッシュプル信号の信号レベルの変動に加えて、トラック中心上に位置する他の記録マークに応じたプッシュプル信号の信号レベルの変動（つまり、信号レベルの基準値となるいわゆるゼロレベルの変動）をも認識することができる。従って、記録再生装置は、プッシュプル信号の信号レベルの基準値が変動してしまう（例えば、ＤＣ成分のオフセットが生じてしまう）場合であっても、トラック中心上に位置する他の記録マークに応じたプッシュプル信号の信号レベルを基準として、一対の記録マークに応じたプッシュプル信号の信号レベルの変動を好適に認識することができる。従って、記録再生装置は、当該マーク群を用いてガイド層に記録されたビットデータを、好適に読み取ることができる。
【００３９】
＜１０＞
上述の如く一対の記録マークとトラック中心上に位置する他の記録マークとが組み合わせられたマーク群が形成される記録再生装置の態様では、前記一対の記録マークが組み合わせられたマーク群は、前記ガイド層に記録されるべき所定のビットデータを示すマーク群であり、前記一対の記録マーク及び前記トラック中心上に位置する他の記録マークが組み合わせられたマーク群は、前記ビットデータを読み取るときの同期をとるために用いられる同期データを示すマーク群であるように構成してもよい。
【００４０】
このように構成すれば、記録再生装置は、ビットデータを読み取る前に同期データを読み取るため、当該同期データの読取結果に基づいて、プッシュプル信号の信号レベルの基準値の変動を認識することができる。従って、記録再生装置は、プッシュプル信号の信号レベルの基準値が変動してしまう場合であっても、当該マーク群を用いてガイド層に記録されたビットデータを好適に読み取ることができる。
【００４１】
＜１１＞
本実施形態の記録再生装置の他の態様では、前記マーク群は、当該マーク群に前記ガイドレーザ光を照射することで得られるプッシュプル信号の信号レベルの平均値がゼロになるように前記一対の記録マークが組み合わせられることで形成されている。
【００４２】
この態様によれば、このようなマーク群がガイド層に形成されたとしても、当該マーク群がプッシュプル信号に及ぼし得る信号レベルの変動の平均値はゼロ（但し、実質的にゼロと同視し得る程度のマージンを含む）となる。従って、マーク群の存在がプッシュプル信号に基づくトラッキング制御に悪影響を及ぼすことは殆ど或いは全くなくなる。
【００４３】
＜１２＞
本実施形態の記録再生装置の他の態様では、前記マーク群は、前記トラック中心を基準として左側にシフトしている記録マークの数と前記トラック中心を基準として右側にシフトしている記録マークの数とが等しくなるように形成されている。
【００４４】
この態様によれば、このようなマーク群がガイド層に形成されたとしても、当該マーク群がプッシュプル信号に及ぼし得る信号レベルの変動の平均値はゼロ（但し、実質的にゼロと同視し得る程度のマージンを含む）となる。従って、マーク群の存在がプッシュプル信号に基づくトラッキング制御に悪影響を及ぼすことは殆ど或いは全くなくなる。
【００４５】
＜１３＞
本実施形態の記録再生装置の他の態様では、複数の異なる前記マーク群が、前記ガイド層に離散的に形成されており、前記記録再生手段は、前記複数の異なるマーク群に応じた複数のビットデータを組み合わせることで得られる制御情報に基づいて、前記複数の記録層に対する前記記録動作及び前記再生動作の少なくとも一方を行う。
【００４６】
この態様によれば、離散的に形成された複数の異なるマーク群に応じた複数の異なるビットデータを組み合わせることで、ビットデータと比較して相対的にサイズが大きくなる制御情報（例えば、アドレス情報やクロック情報や記録開始タイミング情報等）をガイド層に記録することができる。このため、記録再生装置は、離散的に形成された複数の異なるマーク群に応じた複数の異なるビットデータを組み合わせることで、ビットデータと比較して相対的にサイズが大きくなる制御情報を読み取ることができる。従って、記録再生装置は、このような制御情報に基づいて、複数の記録層に対する記録動作及び前記再生動作の少なくとも一方を行うことができる。
【００４７】
＜１４＞
本実施形態の記録再生装置の他の態様では、一のガイドトラックを中心に含む複数のガイドトラックの夫々の同一位相位置に形成される一のマーク群は、前記一のガイドトラックとは異なる他のガイドトラックを中心に含む複数のガイドトラックの夫々の同一回転位相位置に形成される他のマーク群とは異なる回転位相位置に形成される。
【００４８】
この態様によれば、一のマーク群の少なくとも一部と当該一のマーク群とは異なる他のマーク群の少なくとも一部とが、同一のガイドトラックの同一回転位相位置に重複的に形成されることがなくなる。従って、同一のマーク群が複数のガイドトラックの夫々に形成される場合であっても、一のマーク群は、他のマーク群の影響（言い換えれば、干渉）を受けることなく、好適に形成される。このため、同一のマーク群が複数のガイドトラックの夫々に形成される場合であっても、記録再生装置は、他のマーク群の影響（言い換えれば、干渉）を受けることなく、一のマーク群を好適に読み取ることができる。
【００４９】
＜１５＞
本実施形態の記録再生装置の他の態様では、前記ガイドトラックは、交互に形成されたグルーブトラック及びランドトラックを含み、前記ビームスポットに包含される複数のグルーブトラックの夫々の同一位相位置に、当該夫々のグルーブトラックのトラック中心を基準として左右に所定距離シフトしている一対の記録マークが組み合わせられたマーク群が形成されており、前記ビームスポットに包含される複数のランドトラックの夫々の同一位相位置に、当該夫々のランドトラックのトラック中心を基準として左右に所定距離シフトしている一対の記録マークが組み合わせられたマーク群が形成されている。
【００５０】
この態様によれば、グルーブトラック及びランドトラックの双方にマーク群が形成される。従って、記録再生装置は、グルーブトラック及びランドトラックのいずれかにガイドレーザ光を照射すれば、マーク群に応じたビットデータを読み取ることができる。
【００５１】
＜１６＞
上述の如くランドトラックにマーク群が形成される記録再生装置の態様では、前記ランドトラックに形成されるマーク群は、当該ランドトラックに隣接する２つのグルーブトラックを形成するときに同時に形成されるマーク群として形成されるように構成してもよい。
【００５２】
このように構成すれば、ランドトラック上に形成されるマーク群が、比較的容易に形成される。
【００５３】
（記録再生方法の実施形態）
＜１７＞
本実施形態の記録再生方法は、(i-1)トラッキング用のガイドトラックが形成されているガイド層と、(i-2)前記ガイド層上に積層されている複数の記録層とを備える記録媒体であって、(ii)前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体に対して記録動作及び再生動作の少なくとも一方を行う記録再生方法であって、前記ガイド層からの前記ガイドレーザ光の戻り光から得られるプッシュプル信号に基づいて、前記マーク群に応じたビットデータを読み取る読取工程と、前記読取工程が読み取ったビットデータから構成される制御情報に基づいて、前記複数の記録層に対する前記記録動作及び前記再生動作の少なくとも一方を行う記録再生工程とを備える。
【００５４】
本実施形態の記録再生方法によれば、上述した本実施形態の記録再生装置が享受することができる各種効果と同様の効果を好適に享受することができる。
【００５５】
尚、上述した本実施形態の記録再生装置が取り得る各種態様に対応して、本実施形態の記録再生方法もまた各種態様をとってもよい。
【００５６】
本実施形態のこのような作用及び他の利得は次に説明する実施例から更に明らかにされる。
【００５７】
以上説明したように、本実施形態の記録再生装置は、読取手段と、記録再生手段とを備える。本実施形態の記録再生方法は、読取工程と、記録再生工程とを備える。従って、トラッキング用のガイドトラックが形成されたガイド層に対してトラッキング制御に及ぼす影響を抑えながら好適にデータを記録することができる記録媒体に対する記録動作及び再生動作の少なくとも一方を行うことができる。
【実施例】
【００５８】
以下、図面を参照しながら、実施例について説明する。【００５９】
以下、図面を参照しながら、実施例について説明する。【００６０】
（１）光ディスクの構成
はじめに、図１及び図２を参照して、光ディスク１１の構成について説明する。図１は、一枚の光ディスク１１を構成する複数の層を、その積層方向（図１中、上下方向）について相互に間隔をあけて分解することで、各層を見易くしてなる模式的な斜視図である。図２は、光ディスク１１の断面を、ガイドレーザ光ＬＢ１及び記録再生レーザ光ＬＢ２の照射態様と共に示す断面図である。【００６１】
図１に示すように、光ディスク１１は、単一のガイド層１２と複数の（つまり、２層以上の）記録層１３とを備える。つまり、光ディスク１１は、いわゆるガイド層分離型光ディスクである。【００６２】
光ディスク１１に対する記録動作（特に、所望の記録層１３に対する記録動作）が行われる場合には、ガイド層１２に集光されるトラッキング用のガイドレーザ光ＬＢ１と、複数の記録層１３の夫々に集光される記録再生レーザ光ＬＢ２とが、記録再生装置１００から同時に照射される。一方で、光ディスク１１に対する再生動作（特に、所望の記録層１３に対する再生動作）が行われる場合にもまた、ガイドレーザ光ＬＢ１と記録再生レーザ光ＬＢ２とが、記録再生装置１００から同時に照射される。但し、光ディスク１１に対する再生動作が行われる場合には、記録再生レーザ光ＬＢ２が、トラッキング用に用いられてもよい（つまり、ガイドレーザ光ＬＢ１が用いられなくともよい）。【００６３】
光ディスク１１はＣＬＶ方式を採用することが好ましい。同心円状又は螺旋状のガイドトラックＴＲ（具体的には、後述するグルーブトラックＧＴ及びランドトラックＬＴ）にには、ＣＬＶ方式に準拠して、制御情報（例えば、クロック情報やアドレス情報や記録開始タイミング情報等）が予め記録されている。本実施例では、このような制御情報は、トラック中心を基準として左右に等距離シフトしている一対の記録マークＭＬ及びＭＲ（図３及び図５参照）が組み合わせられたマーク群ＭＧ（図４（ａ）から図４（ｃ）及び図６（ａ）から図６（ｃ）参照）を用いて記録されている。このようなマーク群ＭＧは、光ディスク１１の製造時に予めガイド層１２（言い換えれば、ガイド層１２が備えるガイドトラックＴＲ）に形成されることが好ましい。尚、一対の記録マークＭＬ及びＭＲが組み合わせられたマーク群ＭＧについては、図３以降の図面を参照しながら、後に詳述する。【００６４】
尚、ガイド層１２に形成されているガイドトラックＴＲは、シングルスパイラルであってもよい。この場合、グルーブトラックＧＴは、ガイド層１２の所定の領域でランドトラックＬＴに切り替わることが好ましい。同様に、ランドトラックＬＴは、ガイド層１２の所定の領域でグルーブトラックＧＴに切り替わることが好ましい。但し、ガイドトラックＴＲは、グルーブトラックＧＴとランドトラックＬＴとが分離しているダブルスパイラルであってもよい。【００６５】
図２に示すように、記録再生レーザ光ＬＢ２は、ガイド層１２上に積層された複数の記録層１３のうち記録対象又は再生対象たる一つの所望の記録層１３に集光される。記録再生レーザ光ＬＢ２は、例えばＢＤ（Ｂｌｕ−ｒａｙ  Ｄｉｓｃ：ブルーレイディスク）と同じく比較的短波長の青色レーザビームである。一方で、ガイドレーザ光ＬＢ１は、例えばＤＶＤと同じく比較的長波長の赤色レーザビームである。ガイドレーザ光ＬＢ１によりガイド層１２上に形成されるビームスポットの直径は、記録再生レーザ光ＬＢ２により記録層１３上に形成されるビームスポットの直径と比べて、例えば数倍程度となる。【００６６】
複数の記録層１３の夫々は、独立して記録情報を光学的に記録及び再生可能な記録層である。より具体的には、複数の記録層１３は夫々、例えば、２光子吸収材料を含む半透明の薄膜から構成される。例えば、２光子吸収材料としては、２光子吸収が起こった領域の蛍光強度が変化する蛍光物質を用いる蛍光タイプ、電子の局在化によって屈折率が変化するフォトリフラクティブ物質を用いる屈折率変化タイプなどが、採用可能である。屈折率変化タイプの２光子吸収材料としては、フォトクロミック化合物やビス（アラルキリデン）シクロアルカノン化合物などの利用が有望視されている。【００６７】
２光子吸収材料を利用した光ディスク構造としては、(i)光ディスク１１の全体が２光子吸収材料からなるバルク型と、(ii)２光子吸収材料の記録層及び別の透明材料のスペーサ層を交互に積層した層構造型とが存在する。層構造型は、記録層１３とスペーサ層との間の界面で反射される光を利用してフォーカス制御が可能となる利点がある。バルク型は、多層成膜工程が少なく、製造コストを抑えられる利点がある。【００６８】
複数の記録層１３は夫々、上述の２光子吸収材料、相変化材料以外にも、例えば色素材料等であってもよい。複数の記録層１３には夫々、未記録状態では、ガイドトラックＴＲは予め形成されておらず、例えば全域が鏡面或いは凹凸のない平面である。【００６９】
尚、以下の説明では、説明の便宜上、グルーブトラックＧＴ及びランドトラックＬＴがストレート構造を有する例を示す。しかしながら、グルーブトラックＧＴ及びランドトラックＬＴには、ウォブリングが適宜に施されていてよい。例えば、グルーブトラックＧＴ又はランドトラックＬＴは夫々、例えば光反射性の材料からなる反射膜が、凹凸溝が形成された基材としての透明膜上に成膜され、更に保護膜としての透明又は不透明な膜で埋められることで形成されてよい。このようなグルーブトラックＧＴやランドトラックＬＴの側壁に、ウォブリングが施されていてよい。【００７０】
（２）ガイド層に形成されるマーク群の構成
続いて、図３から図６を参照して、ガイド層１２に形成されるマーク群ＭＧ（つまり、トラック中心を基準として左右に等距離シフトしている一対の記録マークＭＬ及びＭＲが組み合わせられたマーク群ＭＧ）の構成について説明する。【００７１】
（２−１）グルーブトラックに形成されるマーク群の構成
はじめに、図３及び図４（ａ）から図４（ｃ）を参照して、ガイド層１２に形成されるマーク群ＭＧのうちグルーブトラックＧＴに形成されるマーク群ＭＧの構成について説明する。図３は、グルーブトラックＧＴに形成されるマーク群ＭＧを構成する一対の記録マークＭＬ及びＭＲの構成を示す平面図である。図４（ａ）から図４（ｃ）は、グルーブトラックＧＴに形成されるマーク群ＭＧによって多種類のデータ（具体的には、ビットデータ及び同期データ）が記録される態様を示す平面図である。【００７２】
図３に示すように、グルーブトラックＧＴには、当該グルーブトラックＧＴのトラック中心を基準として左右に等距離シフトした一対の記録マークＭＬ及びＭＲが形成されている。より具体的には、グルーブトラックＧＴには、(i)グルーブトラックＧＴのトラック中心を基準として左側（例えば、グルーブトラックＧＴの進行方向に対して左側）に所定距離だけシフトした記録マークＭＬと、(ii)グルーブトラックＧＴのトラック中心を基準として右側（例えば、グルーブトラックＧＴの進行方向に対して右側）に所定距離だけシフトした記録マークＭＲが形成されている。【００７３】
グルーブトラックＧＴに形成されるマーク群ＭＧは、このような一対の記録マークＭＬ及びＭＲから構成される。例えば、図３は、グルーブトラックＧＴに形成されるマーク群ＭＧが、一対の記録マークＭＬ及びＭＲそのものである（つまり、ただ一つの一対の記録マークＭＬ及びＭＲが組み合わせられた）マーク群ＭＧである例を示している。但し、後の図４（ａ）から図４（ｃ）等を参照して説明するように、グルーブトラックＧＴに形成されるマーク群ＭＧは、一対の記録マークＭＬ及びＭＲが複数組み合わせられたマーク群ＭＧであってもよいし、一又は複数の一対の記録マークＭＬ及びＭＲと一又は複数のその他の記録マーク（例えば、記録マークの中心がトラック中心上に位置する他の記録マークＭＣ（図４（ａ）から図４（ｃ）参照）若しくは記録マークが形成されない領域（図６（ａ）から図６（ｃ）参照）とが組み合わせられたマーク群ＭＧであってもよい。【００７４】
本実施例では、同一のマーク群ＭＧは、複数のグルーブトラックＧＴの夫々の同一回転位相位置（言い換えれば、同一回転角度位置）に形成される。つまり、同一のマーク群ＭＧは、グルーブトラックＧＴの進行方向（図３中の左側から右側に向かう方向）に対して直交する方向（つまり、図３の上下方向）に沿って相隣接する又は配列するように、複数のグルーブトラックＧＴの夫々に形成される。図３は、３つのグルーブトラックＧＴ（つまり、トラック番号が「ｋ−２」となるグルーブトラックＧＴ、トラック番号が「ｋ」となるグルーブトラックＧＴ及びトラック番号が「ｋ＋２」となるグルーブトラックＧＴ）の夫々の同一回転位相位置に、記録マークＭＬと記録マークＭＲとがグルーブトラックＧＴの進行方向に沿ってこの順に配列されているマーク群ＭＧが形成される例を示している。【００７５】
特に、同一のマーク群ＭＧは、ガイドレーザ光ＬＢ１のビームスポット（つまり、ガイド層１２上でのビームスポット）に包含されることになる複数のグルーブトラックＧＴの夫々の同一回転位相位置に形成される。言い換えれば、同一のマーク群ＭＧが同一回転位相位置に形成されることになる複数のグルーブトラックＧＴの数は、ガイドレーザ光ＬＢ１のビームスポットに包含されるグルーブトラックＧＴの数と同一になる。図３は、ガイドレーザ光ＬＢ１のビームスポットに包含されることになる複数のグルーブトラックＧＴの数が「３本」である例を示している。従って、図３は、３つのグルーブトラックＧＴの夫々の同一回転位相位置に、同一のマーク群ＭＧ（つまり、記録マークＭＬと記録マークＭＲとがグルーブトラックＧＴの進行方向に沿ってこの順に配列されているマーク群ＭＧ）が形成される例を示している。【００７６】
尚、図３は、グルーブトラックＧＴの進行方向に沿って、記録マークＭＬと記録マークＭＲとがこの順に配列されているマーク群ＭＧの例を示している。しかしながら、グルーブトラックＧＴの進行方向に沿って、記録マークＭＲと記録マークＭＬとがこの順に配列されているマーク群ＭＧが用いられてもよい。【００７７】
また、図３では、周囲と比較して凹部となっている箇所がハッチングで示されている。一方で、周囲と比較して凸部となっている箇所が空白（白色）で示されている。従って、本実施例の光ディスク１１では、グルーブトラックＧＴが凹部となり且つランドトラックＬＴが凸部となると共に、記録マークＭＬ及びＭＲが凹部となる例を示している。但し、グルーブトラックＧＴが凸部となり且つランドトラックＬＴが凹部となると共に、記録マークＭＬ及びＭＲが凸部となっていてもよい。【００７８】
本実施例では、このようなマーク群ＭＧを用いて、制御情報（例えば、クロック情報やアドレス情報や記録開始タイミング情報等）がガイド層１２に（特に、グルーブトラックＧＴに）予め記録されている。より具体的には、本実施例では、同一回転位相位置に形成される同一のマーク群ＭＧを用いて、制御情報の一部を構成するビットデータがガイド層１２に予め記録されている。従って、ガイド層１２の複数箇所に形成された複数の異なるマーク群ＭＧから得られるビットデータを組み合わせる（言い換えれば、統合する）ことで、一つの制御情報が得られる。更に、本実施例では、このようなマーク群ＭＧを用いて、制御情報の少なくとも一部を構成するビットデータを読み取るときの同期をとるための同期データがガイド層１２に記録される。但し、制御情報の少なくとも一部を構成するビットデータや同期データに限らず、マーク群ＭＧを用いて、任意のデータがガイド層１２に予め記録されていてもよい。【００７９】
具体的には、図４（ａ）に示すように、トラック中心上に位置する記録マークＭＣと、トラック中心を基準として左側に所定距離シフトしている記録マークＭＬと、トラック中心上に位置する記録マークＭＣと、トラック中心を基準として右側に所定距離シフトしている記録マークＭＲとが、グルーブトラックＧＴの進行方向に沿ってこの順に配列されているマーク群ＭＧが、同期データを構成するマーク群ＭＧとして、グルーブトラックＧＴに形成されてもよい。尚、図４（ａ）は、記録マークＭＣ、記録マークＭＬ及び記録マークＭＲの夫々の長さ（具体的には、グルーブトラックＧＴの進行方向に沿った長さ）が、全て「ａ」となる例を示している。【００８０】
この場合、図４（ａ）に示すマーク群ＭＧが形成されたグルーブトラックＧＴをサーチするガイドレーザ光ＬＢ１の戻り光から生成されるプッシュプル信号の信号レベルは、記録マークＭＣ、記録マークＭＬ、記録マークＭＣ及び記録マークＭＲをこの順に読み取ることに起因して、「０」、「＋（ハイ）」、「０」及び「−（ロー）」と変化する（但し、ガイドレーザ光ＬＢ１のビームスポットの中心がグルーブトラックＧＴのトラック中心から左側にずれた状態が、プッシュプル信号の極性がマイナスになる状態に相当すると仮定している）。従って、信号レベルが「０」、「＋」、「０」及び「−」の順に変化するプッシュプル信号から、同期データが読み取られる。【００８１】
図４（ｂ）に示すように、トラック中心を基準として右側に所定距離シフトしている記録マークＭＲと、トラック中心を基準として左側に所定距離シフトしている記録マークＭＬとが、グルーブトラックＧＴの進行方向に沿ってこの順に配列されているマーク群ＭＧが、ビットデータ（ビット０）を構成するマーク群ＭＧとして、グルーブトラックＧＴに形成されてもよい。尚、図４（ｂ）は、記録マークＭＬ及び記録マークＭＲの夫々の長さ（具体的には、グルーブトラックＧＴの進行方向に沿った長さ）が、全て「ａ」となる例を示している。【００８２】
この場合、図４（ｂ）に示すマーク群ＭＧが形成されたグルーブトラックＧＴをサーチするガイドレーザ光ＬＢ１の戻り光から生成されるプッシュプル信号の信号レベルは、記録マークＭＲ及び記録マークＭＬをこの順に読み取ることに起因して、「−」及び「＋」、と変化する。従って、信号レベルが「−」及び「＋」の順に変化するプッシュプル信号から、ビットデータ（ビット０）が読み取られる。【００８３】
図４（ｃ）に示すように、トラック中心を基準として左側に所定距離シフトしている記録マークＭＬと、トラック中心を基準として右側に所定距離シフトしている記録マークＭＲとが、グルーブトラックＧＴの進行方向に沿ってこの順に配列されているマーク群ＭＧが、ビットデータ（ビット１）を構成するマーク群ＭＧとして、グルーブトラックＧＴに形成されてもよい。尚、図４（ｃ）は、記録マークＭＬ及び記録マークＭＲの夫々の長さ（具体的には、グルーブトラックＧＴの進行方向に沿った長さ）が、全て「ａ」となる例を示している。【００８４】
この場合、図４（ｃ）に示すマーク群ＭＧが形成されたグルーブトラックＧＴをサーチするガイドレーザ光ＬＢ１の戻り光から生成されるプッシュプル信号の信号レベルは、記録マークＭＬ及び記録マークＭＲをこの順に読み取ることに起因して、「＋」及び「−」、と変化する。従って、信号レベルが「＋」及び「−」の順に変化するプッシュプル信号から、ビットデータ（ビット１）が読み取られる。【００８５】
尚、図４に示すマーク群ＭＧ（つまり、同期データを構成するマーク群ＭＧ、並びにビットデータ（ビット０）を構成するマーク群ＭＧ及びビットデータ（ビット１）を構成するマーク群ＭＧ）の態様はあくまで一例である。従って、図４に示す態様以外の態様を示す３種類のマーク群ＭＧを用いて、同期データ並びにビットデータ（ビット０）及びビットデータ（ビット１）が構成されてもよい。【００８６】
（２−２）ランドトラックに形成されるマーク群の構成
続いて、図５及び図６（ａ）から図６（ｃ）を参照して、ガイド層１２に形成されるマーク群ＭＧのうちランドトラックＬＴに形成されるマーク群ＭＧの構成について説明する。図５は、ランドトラックＬＴに形成されるマーク群ＭＧを構成する一対の記録マークＭＬ及びＭＲの構成を示す平面図である。図６（ａ）から図６（ｃ）は、ランドトラックＬＴに形成されるマーク群ＭＧによって多種類のデータ（具体的には、ビットデータ及び同期データ）が記録される態様を示す平面図である。【００８７】
図５に示すように、ランドトラックＬＴには、当該ランドトラックＬＴのトラック中心を基準として左右に等距離シフトした一対の記録マークＭＬ及びＭＲが形成されている。より具体的には、ランドトラックＬＴには、(i)ランドトラックＬＴのトラック中心を基準として左側（例えば、ランドトラックＧＴの進行方向に対して左側）のに所定距離だけシフトした記録マークＭＬと、(ii)ランドトラックＬＴのトラック中心を基準として右側（例えば、ランドトラックＬＴの進行方向に対して右側）に所定距離だけシフトした記録マークＭＲが形成されている。【００８８】
ランドトラックＬＴに形成されるマーク群ＭＧは、このような一対の記録マークＭＬ及びＭＲから構成される。例えば、図５は、ランドトラックＬＴに形成されるマーク群ＭＧが、一対の記録マークＭＬ及びＭＲそのものである（つまり、ただ一つの一対の記録マークＭＬ及びＭＲが組み合わせられた）マーク群ＭＧである例を示している。但し、後の図６等を参照して説明するように、ランドトラックＬＴに形成されるマーク群ＭＧは、一対の記録マークＭＬ及びＭＲが複数組み合わせられたマーク群であってもよいし、一又は複数の一対の記録マークＭＬ及びＭＲと一又は複数のその他の記録マーク（例えば、記録マークの中心がトラック中心上に位置する他の記録マークＭＣ（図４（ａ）から図４（ｃ）参照）若しくは記録マークが形成されない領域（図６（ａ）から図６（ｃ）参照）とが組み合わせられたマーク群ＭＧであってもよい。【００８９】
本実施例では、同一のマーク群ＭＧは、複数のランドトラックＬＴの夫々の同一回転位相位置（言い換えれば、同一回転角度位置）に形成される。つまり、同一のマーク群ＭＧは、ランドトラックＬＴの進行方向（図５中の左側から右側に向かう方向）に対して直交する方向（つまり、図５の上下方向）に沿って相隣接する又は配列するように、複数のランドトラックＬＴの夫々に形成される。図５は、３つのランドトラックＬＴ（つまり、トラック番号が「ｋ−１」となるランドトラックＬＴ、トラック番号が「ｋ＋１」となるランドトラックＬＴ及びトラック番号が「ｋ＋３」となるランドトラックＬＴ）の夫々の同一回転位相位置に、記録マークＭＬと記録マークＭＲとがランドトラックＬＴの進行方向に沿ってこの順に配列されているマーク群ＭＧが形成される例を示している。【００９０】
特に、同一のマーク群ＭＧは、ガイドレーザ光ＬＢ１のビームスポット（つまり、ガイド層１２上でのビームスポット）に包含されることになる複数のランドトラックＬＴの夫々の同一回転位相位置に形成される。言い換えれば、同一のマーク群ＭＧが同一回転位相位置に形成されることになる複数のランドトラックＬＴの数は、ガイドレーザ光ＬＢ１のビームスポットに包含されるランドトラックＬＴの数と同一になる。図５は、ガイドレーザ光ＬＢ１のビームスポットに包含されることになる複数のランドトラックＬＴの数が「３本」である例を示している。従って、図５は、３つのランドトラックＬＴの夫々の同一回転位相位置に、同一のマーク群ＭＧ（つまり、記録マークＭＬと記録マークＭＲとがランドトラックＬＴの進行方向に沿ってこの順に配列されているマーク群ＭＧ）が形成される例を示している。【００９１】
尚、図５は、ランドトラックＬＴの進行方向に沿って、記録マークＭＬと記録マークＭＲとがこの順に配列されているマーク群ＭＧの例を示している。しかしながら、ランドトラックＬＴの進行方向に沿って、記録マークＭＲと記録マークＭＬとがこの順に配列されているマーク群ＭＧが用いられてもよい。【００９２】
本実施例では、このようなマーク群ＭＧを用いて、制御情報（例えば、クロック情報やアドレス情報や記録開始タイミング情報等）がガイド層１２に（特に、ランドトラックＬＴに）記録される。より具体的には、本実施例では、同一回転位相位置に形成される同一のマーク群ＭＧを用いて、制御情報の一部を構成するビットデータがガイド層１２に予め記録されている。従って、ガイド層１２の複数箇所に形成された複数の異なるマーク群ＭＧから得られるビットデータを組み合わせる（言い換えれば、統合する）ことで、一つの制御情報が得られる。更に、本実施例では、このようなマーク群ＭＧを用いて、制御情報の少なくとも一部を構成するビットデータを読み取るときの同期をとるための同期データがガイド層１２に記録される。但し、制御情報の少なくとも一部を構成するビットデータや同期データに限らず、マーク群ＭＧを用いて、任意のデータがガイド層１２に記録されてもよい。【００９３】
具体的には、図６（ａ）に示すように、記録マークが形成されない領域と、トラック中心を基準として左側に所定距離シフトしている記録マークＭＬと、記録マークが形成されない領域と、トラック中心を基準として右側に所定距離シフトしている記録マークＭＲとが、ランドトラックＬＴの進行方向に沿ってこの順に配列されているマーク群ＭＧが、同期データを構成するマーク群ＭＧとして、ランドトラックＬＴに形成されてもよい。尚、図６（ａ）は、記録マークが形成されない領域、記録マークＭＬ及び記録マークＭＲの夫々の長さ（具体的には、ランドトラックＬＴの進行方向に沿った長さ）が、全て「ａ」となる例を示している。【００９４】
この場合、図６（ａ）に示すマーク群ＭＧが形成されたランドトラックＬＴをサーチするガイドレーザ光ＬＢ１の戻り光から生成されるプッシュプル信号の信号レベルは、記録マークが形成されていない領域、記録マークＭＬ、記録マークが形成されていない領域及び記録マークＭＲをこの順に読み取ることに起因して、「０」、「＋」、「０」及び「−」と変化する。従って、信号レベルが「０」、「＋」、「０」及び「−」の順に変化するプッシュプル信号から、同期データが読み取られる。【００９５】
図６（ｂ）に示すように、トラック中心を基準として右側に所定距離シフトしている記録マークＭＲと、トラック中心を基準として左側に所定距離シフトしている記録マークＭＬとが、ランドトラックＬＴの進行方向に沿ってこの順に配列されているマーク群ＭＧが、ビットデータ（ビット０）を構成するマーク群ＭＧとして、ランドトラックＬＴに形成されてもよい。尚、図６（ｂ）は、記録マークＭＬ及び記録マークＭＲの夫々の長さ（具体的には、ランドトラックＬＴの進行方向に沿った長さ）が、全て「ａ」となる例を示している。【００９６】
この場合、図６（ｂ）に示すマーク群ＭＧが形成されたランドトラックＬＴをサーチするガイドレーザ光ＬＢ１の戻り光から生成されるプッシュプル信号の信号レベルは、記録マークＭＲ及び記録マークＭＬをこの順に読み取ることに起因して、「−」及び「＋」、と変化する。従って、信号レベルが「−」及び「＋」の順に変化するプッシュプル信号から、ビットデータ（ビット０）が読み取られる。【００９７】
図６（ｃ）に示すように、トラック中心を基準として左側に所定距離シフトしている記録マークＭＬと、トラック中心を基準として右側に所定距離シフトしている記録マークＭＲとが、ランドトラックＬＴの進行方向に沿ってこの順に配列されているマーク群ＭＧが、ビットデータ（ビット１）を構成するマーク群ＭＧとして、ランドトラックＬＴに形成されてもよい。尚、図６（ｃ）は、記録マークＭＬ及び記録マークＭＲの夫々の長さ（具体的には、ランドトラックＬＴの進行方向に沿った長さ）が、全て「ａ」となる例を示している。【００９８】
この場合、図６（ｃ）に示すマーク群ＭＧが形成されたランドトラックＬＴをサーチするガイドレーザ光ＬＢ１の戻り光から生成されるプッシュプル信号の信号レベルは、記録マークＭＬ及び記録マークＭＲをこの順に読み取ることに起因して、「＋」及び「−」、と変化する。従って、信号レベルが「＋」及び「−」の順に変化するプッシュプル信号から、ビット１を示すビットデータが読み取られる。【００９９】
尚、図６に示すマーク群ＭＧ（つまり、同期データを構成するマーク群ＭＧ、並びにビットデータ（ビット０）を構成するマーク群ＭＧ及びビットデータ（ビット１）を構成するマーク群ＭＧ）の態様はあくまで一例である。従って、図６に示す態様以外の態様を示す３種類のマーク群ＭＧを用いて、同期データ並びにビットデータ（ビット０）及びビットデータ（ビット１）が構成されてもよい。【０１００】
このようなランドグルーブＬＴに形成されるマーク群ＭＧは、光ディスク１１の製造時には、グルーブトラックＧＴの形成と同時に形成されることが好ましい。というのも、グルーブトラックＧＴ並びに記録マークＭＲ及びＭＬが凹部となるため、光ディスク１１の製造時には、グルーブトラックＧＴ及びマーク群ＭＧに相当する位置に対してカッティングレーザ光を用いたカッティングが行われる。つまり、グルーブトラックＧＴに相当する位置並びに記録マークＭＲに相当する位置及び記録マークＭＬに相当する位置に対して、カッティングレーザ光が照射される。一方で、ランドトラックＬＴが凸部となるため、光ディスク１１の製造時には、ランドトラックＬＴに相当する位置に対してカッティングレーザ光を用いたカッティングが行われなくともよい。つまり、ランドトラックＬＴに相当する位置に対して、カッティングレーザ光が照射されなくともよい。このため、ランドグルーブＬＴ上に形成されるマーク群ＭＧをグルーブトラックＧＴの形成と同時に形成すれば、ランドトラックＬＴの形成時にカッティングレーザ光を全く照射しなくともよくなる（言い換えれば、グルーブトラックＧＴの形成時にカッティングレーザ光のオンオフを切り替えればよくなる）。従って、光ディスク１１の製造工程の簡略化が図られる。【０１０１】
（２−３）マーク群の分布の態様
続いて、図７から図９を参照して、ガイド層１２に形成されているマーク群ＭＧの分布の態様について説明する。図７は、ガイド層１２（更には、記録層１３）のデータ構造を示すデータ構造図である。図８は、特定のスロットに形成されるマーク群ＭＧの一例を示す平面図である。図９は、複数のマーク群ＭＧが複数のスロットに分散して記録される態様を示す平面図である。【０１０２】
図７に示すように、記録層１３は、ＥＣＣブロックという単位で区分される。つまり、記録層１３上に記録される記録情報は、ＥＣＣブロックという単位で記録される。このため、記録層１３と同様に、ガイド層１２もまた、ＥＣＣブロックという単位で区分される。つまり、ガイド層１２上に記録される制御情報（例えば、アドレス情報やクロック情報や記録開始タイミング情報等）は、ＥＣＣブロックという単位で記録される。【０１０３】
１個のＥＣＣブロックは、８３個のグループという単位に細分化される。１個のグループは、８個のスロットという単位に細分化される。１個のスロットは、２１ウォブルに相当するサイズを有している。２１ウォブルのうちヘッダに相当する３ウォブル及びフッタに相当３ウォブルは、夫々、隣接するスロットとの間の干渉を防ぐための緩衝領域に相当する。従って、１個のスロットには、実質的には、最大で１５ウォブルに相当するサイズの情報を記録することができる。【０１０４】
図８に示すように、２つの同期データ及び４つのビットデータを示すマーク群ＭＧは、１５ウォブルのうちの８ウォブルを用いて形成される。つまり、図８に示す例では、１個のスロットには、４ビットのビットデータを記録することができる。尚、１５ウォブルの全てをビットデータの記録に使用することが許容されるとすれば、１個のスロットには、２つの同期データ及び１１つのビットデータを示すマーク群ＭＧを形成することができる。【０１０５】
図９に示すように、本実施例では、このようなスロットの単位を利用して、異なるデータ群ＭＧが同一のグルーブトラックＧＴ又は同一のランドトラックＬＴの同一回転位相位置に重複して形成されないように構成される。以下、トラック番号が「ｋ」となるガイドトラックＴＲを中心とする複数のガイドトラックＴＲの夫々の同一回転位相位置に形成されるマーク群ＭＧを、マーク群ＭＧ（ｋ）と称して説明を進める。【０１０６】
図９に示すように、マーク群ＭＧ（ｋ）がスロット＃１に形成されているとする。この場合、マーク群ＭＧ（ｋ）は、トラック番号が「ｋ」となるグルーブトラックＧＴのみならず、トラック番号が「ｋ−２」となるグルーブトラックＧＴ及びトラック番号が「ｋ＋２」となるグルーブトラックＧＴにも同様に形成されている。従って、マーク群ＭＧ（ｋ）以外の他のマーク群ＭＧは、トラック番号が「ｋ−２」となるグルーブトラックＧＴからトラック番号が「ｋ＋２」となるグルーブトラックＧＴに至るまでのガイドトラックＴＲ上のスロット＃１の位置には形成されない。これにより、マーク群ＭＧ（ｋ）と当該マーク群ＭＧ（ｋ）以外の他のマーク群ＭＧとが、同一のガイドトラックＴＲ上の同一回転位相位置に重複的に形成されることはなくなる。【０１０７】
一方で、マーク群ＭＧ（ｋ）以外の他のマーク群ＭＧは、トラック番号が「ｋ−２」となるグルーブトラックＧＴからトラック番号が「ｋ＋２」となるグルーブトラックＧＴに至るまでのガイドトラックＴＲ上であっても、スロット＃１以外のスロットには形成されてもよい。つまり、本実施例では、あるマーク群ＭＧ（ｋ）と、当該マーク群ＭＧ（ｋ）が形成されるガイドトラックＴＲと同一のガイドトラックＴＲ上に形成される他のマーク群ＭＧ（例えば、マーク群ＭＧ（ｋ−４）からマーク群ＭＧ（ｋ−１）及びマーク群ＭＧ（ｋ＋１）からマーク群ＭＧ（ｋ＋４））とは、別々のスロットに形成されることが好ましい。これにより、マーク群ＭＧ（ｋ）と当該マーク群ＭＧ（ｋ）以外の他のマーク群ＭＧとが、同一のガイドトラックＴＲ上の同一回転位相位置に重複的に形成されることはなくなる。【０１０８】
例えば、図９は、ＭＧ（ｋ−１）が、トラック番号が「ｋ−３」となるランドトラックＬＴ、トラック番号が「ｋ−１」となるランドトラックＬＴ及びトラック番号が「ｋ＋１」となるランドトラックＬＴのスロット＃８の位置に形成される例を示している。同様に、例えば、図９は、ＭＧ（ｋ＋１）が、トラック番号が「ｋ−１」となるランドトラックＬＴ、トラック番号が「ｋ＋１」となるランドトラックＬＴ及びトラック番号が「ｋ＋３」となるランドトラックＬＴのスロット＃２の位置に形成される例を示している。同様に、例えば、図９は、ＭＧ（ｋ＋２）が、トラック番号が「ｋ」となるグルーブトラックＧＴ、トラック番号が「ｋ＋２」となるグルーブトラックＧＴ及びトラック番号が「ｋ＋４」となるグルーブトラックＧＴのスロット＃３の位置に形成される例を示している。同様に、例えば、図９は、ＭＧ（ｋ＋３）が、トラック番号が「ｋ＋１」となるランドトラックＬＴ、トラック番号が「ｋ＋３」となるランドトラックＬＴ及びトラック番号が「ｋ＋５」となるランドトラックＬＴのスロット＃４の位置に形成される例を示している。同様に、例えば、図９は、ＭＧ（ｋ＋４）が、トラック番号が「ｋ＋２」となるグルーブトラックＧＴ、トラック番号が「ｋ＋４」となるグルーブトラックＧＴ及びトラック番号が「ｋ＋６」となるグルーブトラックＧＴのスロット＃５の位置に形成される例を示している。このように、マーク群ＭＧが形成される回転半径位置をスロットの単位で区別することで、トラック番号が「ｋ−２」となるグルーブトラックＧＴからトラック番号が「ｋ＋２」となるグルーブトラックＧＴに至るまでのガイドトラックＴＲに一部の記録マークが形成されることになるマーク群ＭＧ（ｋ−１）からマーク群ＭＧ（ｋ＋４）は、互いに重複する位置（つまり、同一回転半径位置）に形成されなくなる。【０１０９】
尚、記録マークＭＬ及びＭＲのトラック中心からのシフト量は、全てのマーク群ＭＧにおいて統一されていてもよいし、マーク群ＭＧ毎に異なっていてもよい。例えば、図９に示す例で言えば、マーク群ＭＧ（ｋ）を構成する記録マークＭＬ及びＭＲのトラック中心からのシフト量は、マーク群ＭＧ（ｋ）以外の他のマーク群ＭＧを構成する記録マークＭＬ及びＭＲのトラック中心からのシフト量と同一であってもよいし、異なっていてもよい。要は、マーク群ＭＧを構成する記録マークＭＬ及びＭＲのトラック中心からのシフト量は、少なくとも同一のマーク群ＭＧ内において統一されていれば足りる。例えば、マーク群ＭＧ（ｋ）を構成する記録マークＭＬ及びＭＲのトラック中心からのシフト量は、少なくともマーク群ＭＧ（ｋ）内において統一されていれば足りる。【０１１０】
（２−４）マーク群の特性
続いて、本実施例のマーク群ＭＧの特性について説明する。【０１１１】
まず、上述したように、マーク群ＭＧの形成の有無に関わらず、ガイドトラックＴＲ上をサーチするガイドレーザ光ＬＢ１の戻り光からは、ガイドレーザ光ＬＢ１のビームスポットの中心とガイドトラックＴＲのトラック中心との間の位置関係に応じたプッシュプル信号が得られる。その結果、当該プッシュプル信号に基づくトラッキング制御が行われる。【０１１２】
一方で、マーク群ＭＧが形成されたガイドトラックＴＲ上をサーチするガイドレーザ光ＬＢ１の戻り光から得られるプッシュプル信号の信号レベルは、マーク群ＭＧを構成する記録マークＭＬ及びＭＲのパターンに応じて変動する（例えば、図４（ａ）から図４（ｃ）及び図６（ａ）から図６（ｃ）参照）。つまり、本実施例では、プッシュプル信号の信号レベルは、ガイドレーザ光ＬＢ１のビームスポットの中心とマーク群ＭＧを構成する記録マークとの間の位置関係に応じて変動する。しかしながら、マーク群ＭＧが、トラック中心から左右に等距離シフトした一対の記録マークＭＬ及びＭＲが組み合わせられたマーク群ＭＧであるため、プッシュプル信号の信号レベルの変動の平均値（言い換えれば、積分値）は、ゼロになる。従って、マーク群ＭＧがガイドトラックＴＲ上に形成されたとしても、当該マーク群ＭＧが、プッシュプル信号に基づくトラッキング制御に大きな悪影響（例えば、正常なトラッキング制御を行うことができない程度の悪影響）を及ぼすことは殆ど又は全くない。従って、マーク群ＭＧがガイドトラックＴＲ上に形成されたとしても、マーク群ＭＧがガイドトラックＴＲ上に形成されていない場合と概ね同様に、好適なトラッキング制御が行われる。【０１１３】
それでいて、上述したように、プッシュプル信号の信号レベルの変動から、各種データ（例えば、上述した同期データやビットデータ）が読み取られる。つまり、本実施例では、一対の記録マークＭＬ及びＭＲが組み合わせられたマーク群ＭＧをガイド層１２上に形成することで、プッシュプル信号を用いて読み取られる各種データを記録することができる。言い換えれば、本実施例では、一対の記録マークＭＬ及びＭＲが組み合わせられたマーク群ＭＧをガイド層１２に形成することで、ＲＦ信号を用いて読み取らなくともよい各種データをガイド層１２に記録することができる。【０１１４】
ここで、図１０を参照して、ガイド層１２に形成されたマーク群ＭＧが示す情報を、トラッキング制御に用いられるプッシュプル信号から読み取ることで実現される利点について説明する。図１０は、グルーブトラックＧＴの凹部の深さ（つまり、ランドトラックＬＴに対するグルーブトラックＧＴの相対的な深さ）とプッシュプル信号及びＲＦ信号の信号レベルとの関係を示すグラフである。【０１１５】
図１０に示すように、トラッキング制御に用いられるプッシュプル信号の信号レベルは、グルーブトラックＧＴの深さがλ／８ｎ（つまり、λ÷（８×ｎ））となる場合に最良となる。一方で、トラッキング制御に用いられないＲＦ信号の信号レベルは、グルーブトラックＧＴの深さがλ／４ｎ（つまり、λ÷（４×ｎ））となる場合に最良となる。仮に、ガイド層１２上に、ＲＦ信号を用いて読み取る必要がある制御情報を記録した場合には、プッシュプル信号の信号レベル（言い換えれば、信号特性）のみならず、ＲＦ信号の信号レベル（信号特性）をも考慮する必要がある。【０１１６】
しかるに、本実施例では、ガイド層１２上には、元々トラッキング制御に用いられるプッシュプル信号を用いて読み取ることができる制御情報が記録される。従って、プッシュプル信号の信号レベル（言い換えれば、信号特性）が考慮されれば足りる。言い換えれば、ＲＦ信号の信号レベル（信号特性）が考慮されなくともよくなる。【０１１７】
このため、本実施例では、グルーブトラックＧＴの深さ（更には、記録マークＭＬ、ＭＲ及びＭＣの深さ）は、λ／６ｎ未満に設定されてもよい。これにより、プッシュプル信号の信号特性が好適な特性となるため、トラッキング制御が好適に行われると共にマーク群ＭＧを用いてガイド層１２に記録された制御情報が好適に読み取られる。【０１１８】
或いは、グルーブトラックＧＴの深さ（更には、記録マークＭＬ、ＭＲ及びＭＣの深さ）は、λ／８ｎ未満に設定されてもよい。これにより、プッシュプル信号の信号特性が最良となるため、トラッキング制御がより一層好適に行われると共にマーク群ＭＧを用いてガイド層１２に記録された制御情報がより一層好適に読み取られる。【０１１９】
加えて、本実施例では、複数のグルーブトラックＧＴの夫々の同一回転位相位置に同一のマーク群ＭＧが形成される。同様に、本実施例では、複数のランドトラックＬＴの夫々の同一回転位相位置に同一のマーク群ＭＧが形成される。このため、ガイドレーザ光ＬＢ１のフォーカス偏差（フォーカスオフセット）に対する依存性を弱める（具体的には、フォーカス偏差が大きくなった場合であっても、マーク群ＭＧが示す制御情報を好適に読み取る）ことができる。以下、図１１から図１３（ａ）及び図１３（ｂ）を参照して、フォーカス偏差に対する依存性を弱める効果を説明する。図１１は、単一のグルーブトラックＧＴ上にマーク群ＭＧが形成される比較例を示す平面図である。図１２は、フォーカス偏差とプッシュプル信号の振幅との間の関係を示すグラフである。図１３（ａ）及び図１３（ｂ）は、ガイド層１２でのガイドレーザ光ＬＢ１のビームスポットとグルーブトラックＧＴ並びに一対の記録マークＭＬ及びＭＲとの位置関係を示す平面図である。【０１２０】
図１１に示すように、単一のグルーブトラックＧＴ上にマーク群ＭＧが形成されるとする。このとき、マーク群を構成する一対の記録マークＭＬ及びＭＲのトラック中心からのシフト量を、１００ｎｍ、２２０ｎｍ、３２０ｎｍ及び６４０ｎｍの４種類に設定したときのプッシュプル信号の振幅は、図１２に示すようになる。図１２に示すように、単一のグルーブトラックＧＴ上にマーク群ＭＧが形成される比較例では、フォーカス偏差が大きくなる（例えば、図１２では、負の方向に大きくなる）につれて、プッシュプル信号の振幅が小さくなっているのが分かる。その結果、トラッキング制御が好適に行われないばかりか、マーク群ＭＧを用いてガイド層１２に記録された制御情報が好適に読み取られなくなってしまうおそれがある。これは、フォーカス変化が大きくなるにつれてデフォーカスの度合いが強くなると、ただ一つのマーク群ＭＧを好適に読み取ることができないことが理由であると想定される。【０１２１】
一方で、本実施例によれば、複数のグルーブトラックＧＴ（或いは、複数のランドトラックＬＴ）の夫々の同一回転位相位置に同一のマーク群ＭＧが形成されるため、プッシュプル信号の振幅は、トラッキングサーボをオープンにした状態で得られるプッシュプル信号の振幅と概ね同様になる。つまり、本実施例のプッシュプル信号の振幅のフォーカス偏差に対する依存性は、トラッキングサーボをオープンにした状態で得られるプッシュプル信号の振幅のフォーカス偏差に対する依存性と概ね同様になる。トラッキング制御が好適に行われると共に、マーク群ＭＧを用いてガイド層１２に記録された制御情報が好適に読み取られる。【０１２２】
というのも、トラック中心に対して右側にシフトした記録マークＭＲをサーチしている時のガイドレーザ光ＬＢ１のビームスポットの状態（図１３（ａ）の状態Ａ１参照）は、トラッキングサーボをオープンにした状態でトラック中心から左側にずれている（位相にして、約２７０°ずれている）ガイドレーザ光ＬＢ１のビームスポットの状態（図１３（ｂ）の状態Ｂ１参照）と概ね同様である。同様に、トラック中心に対して左側にシフトした記録マークＭＲをサーチしているときのガイドレーザ光ＬＢ１のビームスポットの状態（図１３（ａ）の状態Ａ２参照）は、トラッキングサーボをオープンにした状態でトラック中心から右側にずれている（位相にして、約９０°ずれている）ガイドレーザ光ＬＢ１のビームスポットの状態（図１３（ｂ）の状態Ｂ２参照）と概ね同様である。従って、図１３（ａ）に示す状態のガイドレーザ光ＬＢ１から得られるプッシュプル信号の波形は、図１３（ｂ）に示す状態のガイドレーザ光ＬＢ１から得られるプッシュプル信号の波形と概ね同様になる（図１３（ｃ）参照）。このため、上述したように、本実施例のプッシュプル信号の振幅のフォーカス偏差に対する依存性は、トラッキングサーボをオープンにした状態で得られるプッシュプル信号の振幅のフォーカス偏差に対する依存性と概ね同様になる。【０１２３】
尚、上述した先行技術２から６に開示された技術は、いずれも図１１に示すような単一の記録トラック上に単一のデータを記録するために単一の記録トラック上に形成される記録ピットないしはウォブルを左右にシフトさせているに過ぎない。つまり、上述した先行技術２から６に開示された技術は、複数の記録トラックの同一回転位相位置に同一のデータを記録していない（言い換えれば、同一のデータを示すピットないしはウォブルを形成していない）という点で本実施例とは異なっている。【０１２４】
加えて、本実施例によれば、グルーブトラックＧＴ及びランドトラックＬＴの双方にマーク群ＭＧが形成される。このため、グルーブトラックＧＴ及びランドトラックＬＴの一方のみにマーク群ＭＧが形成される光ディスクと比較して、ガイド層１２に記録可能な制御情報のサイズを増大させることができる。更に、このため、グルーブトラックＧＴ及びランドトラックＬＴの一方のみにマーク群ＭＧが形成される光ディスクと比較して、ガイド層１２に記録された制御情報が読み取りやすくなる。【０１２５】
加えて、本実施例によれば、同期データを構成するマーク群ＭＧには、一対の記録マークＭＬ及びＭＲに加えて、トラック中心上に位置する記録マークＭＣが含まれる。プッシュプル信号の信号レベルの基準値（例えば、ゼロレベル）が変動してしまう場合であっても、一対の記録マークＭＬ及びＭＲに応じたプッシュプル信号の信号レベルの変動を好適に認識することができる。以下、図１４（ａ）及び図１４（ｂ）を参照しながら、プッシュプル信号の信号レベルの基準値が変動してしまう場合であっても、一対の記録マークＭＬ及びＭＲに応じたプッシュプル信号の信号レベルの変動を好適に認識することができる利点について説明する。図１４（ａ）及び図１４（ｂ）は、一対の記録マークＭＬ及びＭＲ並びにトラック中心上に位置する記録マークＭＣが含まれる同期データを構成するマーク群ＭＧから得られるプッシュプル信号を示すグラフである。【０１２６】
図１４（ａ）に示すように、プッシュプル信号の信号レベルの基準値が変動しない場合には、いわゆるデフォールトのゼロレベルを用いて、一対の記録マークＭＬ及びＭＲに応じたプッシュプル信号の信号レベルの変動が好適に認識される。【０１２７】
一方で、図１４（ｂ）の左側の実線で示すように、プッシュプル信号の信号レベルの基準値が変動してしまう（例えば、正方向にシフトしてしまう）場合には、いわゆるデフォールトのゼロレベルを用いると、記録マークＭＬに応じたプッシュプル信号の信号レベルと記録マークＭＲに応じたプッシュプル信号の信号レベルとが互いに異なるものとなってしまう。その結果、プッシュプル信号に基づく記録マークＭＬ及びＭＲの読み取りの信頼性が悪化してしまいかねない。【０１２８】
しかるに、本実施例では、図１４（ｂ）の右側の点線で示すように、トラック中心上に位置する記録マークＭＣに応じたプッシュプル信号の信号レベルを用いて、プッシュプル信号の信号レベルの基準値を調整することができる。従って、プッシュプル信号の信号レベルの基準値（例えば、ゼロレベル）が変動してしまう場合であっても、一対の記録マークＭＬ及びＭＲに応じたプッシュプル信号の信号レベルの変動を好適に認識することができる。【０１２９】
（３）変形例
続いて、図１５（ａ）から図１５（ｃ）から図２６（ａ）から図２６（ｃ）を参照して、本実施例の光ディスク１１の変形例について説明する。尚、以下は、いずれも、マーク群ＭＧの変形例に相当する。【０１３０】
（３−１）第１変形例
はじめに、図１５（ａ）から図１５（ｃ）及び図１６（ａ）から図１６（ｃ）を参照して、第１変形例について説明する。図１５（ａ）から図１５（ｃ）は、グルーブトラックＧＴ上に形成されるマーク群ＭＧによって多種類のデータが記録される態様の第１変形例を示す平面図である。図１６（ａ）から図１６（ｃ）は、ランドトラックＬＴ上に形成されるマーク群ＭＧによって多種類のデータが記録される態様の第１変形例を示す平面図である。【０１３１】
図１５（ａ）から図１５（ｃ）及び図１６（ａ）から図１６（ｃ）に示すように、第１変形例では、同期データを構成する記録マークＭＬ及びＭＲの長さと、ビットデータを構成する記録マークＭＬ及びＭＲの長さとが互いに異なる。より具体的には、図１５（ａ）及び図１６（ａ）に示すように、同期データを構成する記録マークＭＬ及びＭＲの長さが「ａ」となる。一方で、図１５（ｂ）及び図１５（ｃ）並びに図１６（ｂ）及び図１６（ｃ）に示すように、ビットデータを構成する記録マークＭＬ及びＭＲの長さが「２ａ」となる。【０１３２】
或いは、図１５（ａ）及び図１６（ａ）に示すように、同期データを構成するマーク群ＭＧにおいても、記録マークＭＬ及びＭＲの長さと、記録マークＭＣ（特に、同期データのミドル部分に位置する記録マークＭＣ）及び記録マークが形成されない領域（特に、同期データのミドル部分に位置する記録マークが形成されない領域）の長さとが異なっていてもよい。より具体的には、記録マークＭＬ及びＭＲの夫々の長さが「ａ」となる一方と、記録マークＭＣ及び記録マークが形成されない領域の長さが「２ａ」とが異なっていてもよい。尚、図１５（ａ）及び図１６（ａ）に示すマーク群ＭＧは、同期データのトップ部分に位置する記録マークＭＣの長さ及びテール部分に位置する記録マークＭＲの長さと、同期データのミドル部分に位置する記録マークＭＣ及び記録マークが形成されない領域の長さとを異ならしめている例であるとも言える。【０１３３】
このように構成すれば、記録マークＭＲ及びＭＬ並びに記録マークＭＣ及び記録マークが形成されない領域の長さによっても同期データやビットデータを示すことができる。言い換えれば、記録マークＭＲ及びＭＬ並びに記録マークＭＣ及び記録マークが形成されない領域の長さからも、同期データやビットデータを読み取ることができる。従って、同期データやビットデータの読み取りにおける信頼性を相対的に向上させることができる。【０１３４】
尚、図１５（ａ）から図１５（ｃ）及び図１６（ａ）から図１６（ｃ）に示すマーク群ＭＧはあくまで一例であって、図１５（ａ）から図１５（ｃ）及び図１６（ａ）から図１６（ｃ）に示す態様以外の態様で、グルーブトラックＧＴ上に形成されるマーク群ＭＧを構成する記録マークの長さが異なる状態やランドトラックＬＴ上に形成されるマーク群ＭＧを構成する記録マークの長さが異なる状態を実現してもよい。【０１３５】
（３−２）第２変形例
続いて、図１７（ａ）から図１７（ｃ）を参照して、第２変形例について説明する。図１７（ａ）から図１７（ｃ）は、ランドトラックＬＴ上に形成されるマーク群ＭＧによって多種類のデータが記録される態様の第２変形例を示す平面図である。【０１３６】
図１７（ａ）から図１７（ｃ）に示すように、第２変形例では、グルーブトラックＧＴ上に形成されるマーク群ＭＧが示す同期データ及びビットデータを構成する一対の記録マークＭＲ及びＭＬのパターンと、ランドトラックＬＴ上に形成されるマーク群ＭＧが示す同期データ及びビットデータを構成する一対の記録マークＭＲ及びＭＬのパターンとが異なる。【０１３７】
具体的には、グルーブトラックＧＴ上に形成されるマーク群ＭＧは、図４（ａ）から図４（ｃ）と同様の態様で同期データ及びビットデータを示している。つまり、記録マークＭＣ、記録マークＭＬ、記録マークＭＣ及び記録マークＭＲがこの順に配列したマーク群ＭＧが、同期データを示している。つまり、信号レベルが「０」、「＋」、「０」及び「−」の順に変化するプッシュプル信号が、同期データに相当する。記録マークＭＲ及び記録マークＭＬがこの順に配列したマーク群ＭＧが、ビット０のビットデータを示している。つまり、信号レベルが「−」及び「＋」の順に変化するプッシュプル信号が、ビット０のビットデータに相当する。記録マークＭＬ及び記録マークＭＲがこの順に配列したマーク群ＭＧが、ビット１のビットデータを示している。つまり、信号レベルが「＋」及び「−」の順に変化するプッシュプル信号が、ビット１のビットデータに相当する。【０１３８】
他方で、ランドトラックＬＴ上に形成されるマーク群ＭＧは、図１７（ａ）から図１７（ｃ）に示す態様で同期データ及びビットデータを示している。つまり、記録マークが形成されない領域、記録マークＭＲ、記録マークが形成されない領域及び記録マークＭＬがこの順に配列したマーク群ＭＧが、同期データを示している。つまり、信号レベルが「０」、「−」、「０」及び「＋」の順に変化するプッシュプル信号が、同期データに相当する。記録マークＭＬ及び記録マークＭＲがこの順に配列したマーク群ＭＧが、ビット０のビットデータを示している。つまり、信号レベルが「＋」及び「−」の順に変化するプッシュプル信号が、ビット０のビットデータに相当する。記録マークＭＲ及び記録マークＭＬがこの順に配列したマーク群ＭＧが、ビット１のビットデータを示している。つまり、信号レベルが「−」及び「＋」の順に変化するプッシュプル信号が、ビット１のビットデータに相当する。【０１３９】
このように構成すれば、記録マークＭＲ及びＭＬ並びに記録マークＭＣ及び記録マークが形成されない領域のパターンによって、グルーブトラックＧＴ上に形成されたマーク群ＭＧであるのか又はランドトラックＬＴ上に形成されたマーク群ＭＧであるのかが識別できる。従って、同期データやビットデータの読み取りにおける信頼性を相対的に向上させることができる。【０１４０】
尚、図１７（ａ）から図１７（ｃ）に示すマーク群ＭＧはあくまで一例であって、図１７（ａ）から図１７（ｃ）に示す態様以外の態様で、グルーブトラックＧＴ上に形成されるマーク群ＭＧのパターンと、ランドトラックＬＴ上に形成されるマーク群ＭＧのパターンとが異なる状態を実現してもよい。【０１４１】
（３−３）第３変形例
続いて、図１８（ａ）から図１８（ｃ）を参照して、第３変形例について説明する。図１８（ａ）から図１８（ｃ）は、ランドトラックＬＴ上に形成されるマーク群ＭＧによって多種類のデータが記録される態様の第３変形例を示す平面図である。【０１４２】
図１８（ａ）から図１８（ｃ）に示すように、第３変形例では、グルーブトラックＧＴ上に形成されるマーク群ＭＧを構成する一対の記録マークＭＲ及びＭＬの長さと、ランドトラックＬＴ上に形成されるマーク群ＭＧを構成する一対の記録マークＭＲ及びＭＬの長さとが異なる。【０１４３】
具体的には、グルーブトラックＧＴ上に形成されるマーク群ＭＧは、図４と同様の態様で同期データ及びビットデータを示している。つまり、グルーブトラックＧＴ上に形成されるマーク群ＭＧを構成する記録マークＭＣ、記録マークＭＬ及び記録マークＭＲの夫々の長さは、いずれも「ａ」となる。【０１４４】
他方で、ランドトラックＬＴ上に形成されるマーク群ＭＧは、図１８に示す態様で同期データ及びビットデータを示している。つまり、ランドトラックＬＴ上に形成されるマーク群ＭＧを構成する記録マークＭＲ及び記録マークＭＬの夫々の長さは、いずれも「２ａ」となる。【０１４５】
このように構成すれば、記録マークＭＲ及びＭＬの長さによって、グルーブトラックＧＴ上に形成されたマーク群ＭＧであるのか又はランドトラックＬＴ上に形成されたマーク群ＭＧであるのかが識別できる。従って、同期データやビットデータの読み取りにおける信頼性を相対的に向上させることができる。【０１４６】
尚、図１８（ａ）から図１８（ｃ）に示すマーク群ＭＧはあくまで一例であって、図１８（ａ）から図１８（ｃ）に示す態様以外の態様で、グルーブトラックＧＴ上に形成されるマーク群ＭＧを構成する記録マークの長さと、ランドトラックＬＴ上に形成されるマーク群ＭＧを構成する記録マークの長さとが異なる状態を実現してもよい。【０１４７】
（３−４）第４変形例
続いて、図１９（ａ）から図１９（ｃ）及び図２０（ａ）から図２０（ｃ）を参照して、第４変形例について説明する。図１９（ａ）から図１９（ｃ）は、グルーブトラックＧＴ上に形成されるマーク群ＭＧによって多種類のデータが記録される態様の第４変形例を示す平面図である。図２０（ａ）から図２０（ｃ）は、ランドトラックＬＴ上に形成されるマーク群ＭＧによって多種類のデータが記録される態様の第４変形例を示す平面図である。【０１４８】
図１９（ａ）から図１９（ｃ）に示すように、第４変形例では、グルーブトラックＧＴ上に形成されるマーク群ＭＧのパターンが、上述の図４（ａ）から図４（ｃ）を用いて説明したマーク群ＭＧのパターンとは異なっている。例えば、第４変形例では、トラック中心上に位置する記録マークＭＣが同期データを示すことに代えて、ビットデータを示すために用いられている。更に、第４変形例では、例えば、第１変形例と同様に、同期データを構成する一対の記録マークＭＬ及びＭＲの長さと、ビットデータを構成する一対の記録マークＭＬ及びＭＲの長さとが異なっている。【０１４９】
具体的には、図１９（ａ）に示すように、トラック中心を基準として左側に所定距離シフトしている記録マークＭＬと、トラック中心を基準として右側に所定距離シフトしている記録マークＭＲとが、グルーブトラックＧＴの進行方向に沿ってこの順に配列されているマーク群ＭＧが、同期データを構成するマーク群ＭＧとして、グルーブトラックＧＴ上に記録されてもよい。尚、図１９（ａ）は、記録マークＭＬ及び記録マークＭＲの夫々の長さが、全て「２ａ」となる例を示している。【０１５０】
図１９（ｂ）に示すように、トラック中心上に位置する記録マークＭＣと、トラック中心を基準として右側に所定距離シフトしている記録マークＭＲと、トラック中心を基準として左側に所定距離シフトしている記録マークＭＬとが、グルーブトラックＧＴの進行方向に沿ってこの順に配列されているマーク群ＭＧが、ビット０を示すビットデータを構成するマーク群ＭＧとして、グルーブトラックＧＴ上に記録されてもよい。尚、図１９（ｂ）は、記録マークＭＣ、記録マークＭＬ及び記録マークＭＲの夫々の長さが、全て「ａ」となる例を示している。尚、図１９（ｂ）は、記録マークＭＣが記録マークＭＲの前（つまり、ビットデータのトップ部分）に配列される例を示している。しかしながら、記録マークＭＣは、記録マークＭＲと記録マークＭＬとの間（つまり、ビットデータのミドル部分）に配列されてもよいし、記録マークＭＬの後ろ（つまり、ビットデータのテール部分）に配列されてもよい。【０１５１】
図１９（ｃ）に示すように、トラック中心上に位置する記録マークＭＣと、トラック中心を基準として左側に所定距離シフトしている記録マークＭＬと、トラック中心を基準として右側に所定距離シフトしている記録マークＭＲとが、グルーブトラックＧＴの進行方向に沿ってこの順に配列されているマーク群ＭＧが、ビット１を示すビットデータを構成するマーク群ＭＧとして、グルーブトラックＧＴ上に記録されてもよい。尚、図１９（ｃ）は、記録マークＭＣ、記録マークＭＬ及び記録マークＭＲの夫々の長さが、全て「ａ」となる例を示している。尚、図１９（ｃ）は、記録マークＭＣが記録マークＭＬの前（つまり、ビットデータのトップ部分）に配列される例を示している。しかしながら、記録マークＭＣは、記録マークＭＬと記録マークＭＲとの間（つまり、ビットデータのミドル部分）に配列されてもよいし、記録マークＭＲの後ろ（つまり、ビットデータのテール部分）に配列されてもよい。【０１５２】
図２０（ａ）から図２０（ｃ）に示すように、第４変形例では、ランドトラックＬＴ上に形成されるマーク群ＭＧのパターンが、上述の図６（ａ）から図６（ｃ）を用いて説明したマーク群ＭＧのパターンとは異なっている。例えば、第４変形例では、記録マークが形成されない領域が同期データを示すことに代えて、ビットデータを示すために用いられている。更に、第４変形例では、例えば、第１変形例と同様に、同期データを構成する一対の記録マークＭＬ及びＭＲの長さと、ビットデータを構成する一対の記録マークＭＬ及びＭＲの長さとが異なっている。【０１５３】
具体的には、図２０（ａ）に示すように、トラック中心を基準として左側に所定距離シフトしている記録マークＭＬと、トラック中心を基準として右側に所定距離シフトしている記録マークＭＲとが、ランドトラックＬＴの進行方向に沿ってこの順に配列されているマーク群ＭＧが、同期データを構成するマーク群ＭＧとして、ランドトラックＬＴ上に記録されてもよい。尚、図２０（ａ）は、記録マークＭＬ及び記録マークＭＲの夫々の長さが、全て「２ａ」となる例を示している。【０１５４】
図２０（ｂ）に示すように、記録マークが形成されない領域と、トラック中心を基準として右側に所定距離シフトしている記録マークＭＲと、トラック中心を基準として左側に所定距離シフトしている記録マークＭＬとが、ランドトラックＬＴの進行方向に沿ってこの順に配列されているマーク群ＭＧが、ビット０を示すビットデータを構成するマーク群ＭＧとして、ランドトラックＬＴ上に記録されてもよい。尚、図２０（ｂ）は、記録マークが形成されない領域並びに記録マークＭＬ及び記録マークＭＲの夫々の長さが、全て「ａ」となる例を示している。尚、図２０（ｂ）は、記録マークが形成されない領域が記録マークＭＲの前（つまり、ビットデータのトップ部分）に配列される例を示している。しかしながら、記録マークが形成されない領域は、記録マークＭＲと記録マークＭＬとの間（つまり、ビットデータのミドル部分）に配列されてもよいし、記録マークＭＬの後ろ（つまり、ビットデータのテール部分）に配列されてもよい。【０１５５】
図２０（ｃ）に示すように、記録マークが形成されない領域と、トラック中心を基準として左側に所定距離シフトしている記録マークＭＬと、トラック中心を基準として右側に所定距離シフトしている記録マークＭＲとが、ランドトラックＬＴの進行方向に沿ってこの順に配列されているマーク群ＭＧが、ビット１を示すビットデータを構成するマーク群ＭＧとして、ランドトラックＬＴ上に記録されてもよい。尚、図２０（ｃ）は、記録マークが形成されない領域並びに記録マークＭＬ及び記録マークＭＲの夫々の長さが、全て「ａ」となる例を示している。尚、図２０（ｃ）は、記録マークが形成されない領域が記録マークＭＬの前（つまり、ビットデータのトップ部分）に配列される例を示している。しかしながら、記録マークが形成されない領域は、記録マークＭＬと記録マークＭＲとの間（つまり、ビットデータのミドル部分）に配列されてもよいし、記録マークＭＲの後ろ（つまり、ビットデータのテール部分）に配列されてもよい。【０１５６】
このように構成しても、第１変形例と同様に、同期データやビットデータの読み取りにおける信頼性を相対的に向上させることができる。加えて、データビットのトップ部分に記録マークＭＣ又は記録マークが形成されない領域が配置される（つまり、データビットのトップ部分に相当するプッシュプル信号の信号レベルがゼロになる）ため、ビットデータの区切りが明確になる。【０１５７】
尚、図１９（ａ）から図１９（ｃ）及び図２０（ａ）から図２０（ｃ）に示すマーク群ＭＧはあくまで一例であって、図１９（ａ）から図１９（ｃ）及び図２０（ａ）から図２０（ｃ）に示す態様以外の態様で、マーク群ＭＧが形成されてもよい。【０１５８】
（３−５）第５変形例
続いて、図２１（ａ）から図２１（ｃ）及び図２２（ａ）から図２２（ｃ）を参照して、第５変形例について説明する。図２１（ａ）から図２１（ｃ）は、グルーブトラックＧＴ上に形成されるマーク群ＭＧによって多種類のデータが記録される態様の第５変形例を示す平面図である。図２２（ａ）から図２２（ｃ）は、ランドトラックＬＴ上に形成されるマーク群ＭＧによって多種類のデータが記録される態様の第５変形例を示す平面図である。【０１５９】
図２１（ａ）から図２１（ｃ）に示すように、第５変形例では、マーク群ＭＧが形成されるべき複数のグルーブトラックＧＴのうち最も中心に位置するグルーブトラックＧＴ上には、上述した記録マークＭＬ及びＭＲが形成されない。言い換えれば、図４（ａ）から図４（ｃ）に示す態様によればマーク群ＭＧが形成されるべき複数のグルーブトラックＧＴのうち当該マーク群ＭＧをサーチする時にガイドレーザ光ＬＢ１の集光位置に指定されるグルーブトラックＧＴ上には、上述した記録マークＭＬ及びＭＲが形成されない。例えば、トラック番号が「ｋ−２」となるグルーブトラックＧＴ、トラック番号が「ｋ」となるグルーブトラックＧＴ及びトラック番号が「ｋ＋２」となるグルーブトラックＧＴの夫々に、マーク群ＭＧ（ｋ）を形成する状態を想定する。この場合、第５変形例によれば、トラック番号が「ｋ−２」となるグルーブトラックＧＴ及びトラック番号が「ｋ＋２」となるグルーブトラックＧＴの夫々にはマーク群ＭＧ（ｋ）が形成される一方で、トラック番号が「ｋ」となるグルーブトラックＧＴにはマーク群ＭＧ（ｋ）は形成されない。【０１６０】
同様に、図２２（ａ）から図２２（ｃ）に示すように、第５変形例では、マーク群ＭＧが形成されるべき複数のランドトラックＬＴのうち最も中心に位置するランドトラックＬＴ上には、上述した記録マークＭＬ及びＭＲが形成されない。言い換えれば、図６（ａ）から図６（ｃ）に示す態様によればマーク群ＭＧが形成されるべき複数のランドトラックＧＴのうち当該マーク群ＭＧをサーチする時にガイドレーザ光ＬＢ１の集光位置に指定されるランドトラックＬＴ上には、上述した記録マークＭＬ及びＭＲが形成されない。例えば、トラック番号が「ｋ−１」となるランドトラックＬＴ、トラック番号が「ｋ＋１」となるランドトラックＬＴ及びトラック番号が「ｋ＋３」となるランドトラックＬＴの夫々に、マーク群ＭＧ（ｋ＋１）を形成する状態を想定する。この場合、第５変形例によれば、トラック番号が「ｋ−１」となるランドトラックＬＴ及びトラック番号が「ｋ＋３」となるランドトラックＬＴの夫々にはマーク群ＭＧ（ｋ＋１）が形成される一方で、トラック番号が「ｋ＋１」となるランドトラックＬＴにはマーク群ＭＧ（ｋ＋１）は形成されない。【０１６１】
このように構成すれば、ガイド層１２上に形成するべき記録マークＭＲ及びＭＬの数が相対的に減少するため、光ディスク１１の製造工程の簡略化が図られる。【０１６２】
（３−６）第６変形例
続いて、図２３（ａ）から図２３（ｇ）を参照して、第６変形例について説明する。図２３（ａ）から図２３（ｇ）は、グルーブトラックＧＴ上に形成されるマーク群ＭＧによって多種類のデータが記録される態様の第６変形例を示す平面図である。【０１６３】
図２３（ａ）から図２３（ｇ）に示すように、第６変形例では、マーク群ＭＧを構成する記録マークＭＬ及びＭＲの夫々の数が同一となる。尚、図２３（ａ）から図２３（ｇ）は、記録マークＭＬ及びＭＲの夫々の数が同一となるという条件を満たしながら７通りのビットデータを示すマーク群ＭＧの例を示している。【０１６４】
尚、図２３（ａ）から図２３（ｇ）は、グルーブトラックＧＴ上に形成されるマーク群ＭＧによって多種類のデータが記録される態様を示している。しかしながら、ランドトラックＬＴ上に形成されるマーク群ＭＧによって多種類のデータが記録される場合であっても、マーク群ＭＧを構成する記録マークＭＬ及びＭＲの夫々の数が同一となるように構成されることが好ましい。【０１６５】
このように構成すれば、プッシュプル信号の信号レベルの変動の平均値（言い換えれば、積分値）は、ゼロになる。従って、マーク群ＭＧがガイドトラックＴＲ上に形成されたとしても、当該マーク群ＭＧが、プッシュプル信号に基づくトラッキング制御に大きな悪影響を及ぼすことは殆ど又は全くない。従って、マーク群ＭＧがガイドトラックＴＲ上に形成されたとしても、マーク群ＭＧがガイドトラックＴＲ上に形成されていない場合と概ね同様に、好適なトラッキング制御が行われる。【０１６６】
（３−７）第７変形例
続いて、図２４（ａ）及び図２４（ｂ）を参照して、第７変形例について説明する。図２４（ａ）及び図２４（ｂ）は、グルーブトラックＧＴ上に形成されるマーク群ＭＧによって多種類のデータが記録される態様の第７変形例を示す平面図である。【０１６７】
図２４（ａ）及び図２４（ｂ）に示すように、第７変形例では、ビットデータのトップ部分及びテール部分の夫々に一対の記録マークＭＲ及びＭＬを配置した上で、当該２つの一対の記録マークＭＲ及びＭＬに挟まれる領域（つまり、ビットデータのミドル部分）に一対の記録マークＭＲ及びＭＬが配列されるか否かによって、ビット０のビットデータとビット１のビットデータが区別される。具体的には、図２４（ａ）に示すように、２つの一対の記録マークＭＲ及びＭＬに挟まれる領域に一対の記録マークＭＲ及びＭＬが配列されていないマーク群ＭＧがビット０のビットデータを構成する。他方で、図２４（ｂ）に示すように、２つの一対の記録マークＭＲ及びＭＬに挟まれる領域に一対の記録マークＭＲ及びＭＬが配列されているマーク群ＭＧがビット１のビットデータを構成する。【０１６８】
このように構成しても、ビットデータの読み取りにおける信頼性を相対的に向上させることができる。【０１６９】
（３−８）第８変形例
続いて、図２５を参照して、第８変形例について説明する。図２５は、グルーブトラックＧＴ上に形成されるマーク群ＭＧによって多種類のデータが記録される態様の第８変形例を示す平面図である。【０１７０】
図２５に示すように、第８変形例では、４ビットのビットデータの前及び後ろの双方に同期データを配置した上で、当該２つの同期データに挟まれる領域における一対の記録マークＭＲ及びＭＬが配列されるか否かによって、ビット０のビットデータとビット１のビットデータが区別される。具体的には、図２５に示すように、２つの同期データに挟まれる領域における一対の記録マークＭＲ及びＭＬが配列されていない箇所は、ビット０のビットデータを構成する。他方で、図２５に示すように、２つの同期データに挟まれる領域における一対の記録マークＭＲ及びＭＬが配列されている箇所は、ビット１のビットデータを構成する。【０１７１】
このように構成しても、ビットデータの読み取りにおける信頼性を相対的に向上させることができる。加えて、第８変形例によれば、一対の記録マークＭＬ及びＭＲを用いることなくビット０のビットデータを表すことができる。このため、ビット０のビットデータを示すマーク群ＭＧがプッシュプル信号の信号レベルの変動に影響を与えることはない。従って、マーク群ＭＧがガイドトラックＴＲ上に形成されたとしても、当該マーク群ＭＧが、プッシュプル信号に基づくトラッキング制御に大きな悪影響を及ぼす可能性をより一層低減することができる。従って、マーク群ＭＧがガイドトラックＴＲ上に形成されたとしても、マーク群ＭＧがガイドトラックＴＲ上に形成されていない場合と概ね同様に、より一層好適なトラッキング制御が行われる。【０１７２】
（３−９）第９変形例
続いて、図２６（ａ）から図２６（ｃ）を参照して、第９変形例について説明する。図２６（ａ）から図２６（ｃ）は、ランドトラックＬＴ上に形成されるマーク群ＭＧによって多種類のデータが記録される態様の第９変形例を示す平面図である。【０１７３】
図２６（ａ）から図２６（ｃ）に示すように、第９変形例では、ランドマークＬＴ上に形成されるマーク群ＭＧは、ランドマークＬＴを形成する時に同時に形成される。【０１７４】
尚、これまでの説明では、ランドマークＬＴ上に形成されるマーク群ＭＧは、光ディスク１１の製造工程の簡略化を図るために、グルーブトラックＧＴの形成と同時に形成されている。しかしながら、マーク群ＭＧを用いてガイド層１２に制御情報を記録するという効果を発揮するためであれば、第９変形例に示すように、ランドマークＬＴ上に形成されるマーク群ＭＧは、ランドマークＬＴを形成する時に同時に形成されてもよい。【０１７５】
（４）記録再生装置
続いて、図２７から図３１を参照して、上述した光ディスク１１に対する記録動作及び再生動作の少なくとも一方を行う記録再生装置１００について説明する。【０１７６】
（４−１）記録再生装置の構成
はじめに、図２７を参照して、本実施例の記録再生装置１００の構成について説明する。図２７は、本実施例の記録再生装置１００の構成を示すブロック図である。【０１７７】
図２７に示すように、記録再生装置１００は、ディスクドライブ１０１と、ホストコンピュータ２０１とを備えている。【０１７８】
ディスクドライブ１０１は、光ピックアップ（ＰＵ：Pick Up）１０２と、信号記録再生部１０３と、スピンドルモータ１０４と、バス１０６と、ＣＰＵ１１１と、メモリ１１２と、データ入出力制御部１１３とを備える。光ディスク１１に対する記録動作（特に、所望の記録層１３に対する記録動作）が行われる場合には、光ピックアップ１０２から、光ピックアップ１０２が有する対物レンズ１０２Ｌ（図２参照）を介して、ガイドレーザ光ＬＢ１及び記録再生レーザ光ＬＢ２が照射される。光ディスク１１に対する再生動作（特に、所望の記録層１３に対する再生動作）が行われる場合には、光ピックアップ１０２から、対物レンズ１０２Ｌを介して、記録再生レーザ光ＬＢ２のみが又はガイドレーザ光ＬＢ１及び記録再生レーザ光ＬＢ２の双方が照射される。【０１７９】
ホストコンピュータ２０１は、操作／表示制御部２０２と、操作ボタン２０３と、表示パネル２０４と、バス２０６と、ＣＰＵ２１１と、メモリ２１２と、データ入出力制御部２１３とを備える。光ディスク１１に対する記録動作（特に、所望の記録層１３に対する記録動作）が行われる場合には、所望の記録層１３に記録すべきデータが、データ入出力制御部２１３から入力される。光ディスク１１に対する再生動作（特に、所望の記録層１３に対する再生動作）が行われる場合には、再生されたデータが、データ入出力制御部２１３から出力される。【０１８０】
光ピックアップ１０２は、ガイドレーザ光ＬＢ１を発する赤色半導体レーザ光源と、記録再生レーザ光ＬＢ２を発する青色半導体レーザ光源と、対物レンズ１０２Ｌ、プリズム及びミラー等を含む合成分離光学系とを備える。光ピックアップ１０２は、共通の対物レンズ１０２Ｌを介して、ガイドレーザ光ＬＢ１及び記録再生レーザ光ＬＢ２を同軸的に且つ異なるフォーカスにて（図１及び図２参照）照射する。【０１８１】
光ピックアップ１０２は、ガイド層１２からのガイドレーザ光ＬＢ１の戻り光を受光する二分割或いは四分割のガイド受光素子と、所望の記録層１３からの記録再生レーザ光ＬＢ２の戻り光を受光する二分割或いは四分割の記録再生受光素子とを備える。光ピックアップ１０２は、光ディスク１１に対する記録動作（特に、所望の記録層１３に対する記録動作）が行われる場合には、相対的に高強度の記録再生レーザ光ＬＢ２を出射する。一方で、光ピックアップ１０２は、光ディスク１１に対する再生動作（特に、所望の記録層１３に対する再生動作）が行われる場合には、相対的に低強度の記録再生レーザ光ＬＢ２を出射する。【０１８２】
光ピックアップ１０２が備えるガイド受光素子は、ガイドレーザ光ＬＢ１の戻り光を受光することで、当該戻り光に起因したプッシュプル信号を生成する。このプッシュプル信号に基づいて、トラッキング制御やマーク群ＭＧに応じたビットデータの読み取りが行われる。一方で、光ピックアップ１０２が備える記録再生受光素子は、ディスク１１に対する再生動作（特に、所望の記録層１３に対する再生動作）が行われる場合には、記録再生レーザ光ＬＢ２の戻り光を受光することで、当該戻り光に起因したＲＦ信号を生成する。このＲＦ信号に基づいて、所望の記録層１３に記録されたデータが再生される。また、光ピックアップ１０２が備える記録再生受光素子は、記録再生レーザ光ＬＢ２の戻り光を受光することで、当該戻り光に起因したプッシュプル信号を生成してもよい。このプッシュプル信号に基づいて、トラッキング制御が行われてもよい。【０１８３】
メモリ１１２及びメモリ２１２は、(i)記録再生装置１０１におけるＣＰＵ１１１等の各要素、及びホストコンピュータ２０１におけるＣＰＵ２１１等の各要素を、次に説明する記録動作及び再生動作が行われるように制御するためのコンピュータプログラム、並びに(ii)記録再生動作に必要な各種データを、バス１０６、バス２０６等を介して一時的又は恒久的に保持するのに適宜用いられる。【０１８４】
続いて、図２８を参照して、信号記録再生部１０３のより詳細な構成について説明する。図２８は、信号記録再生部１０３の構成を示すブロック図である。【０１８５】
図２８に示すように、信号記録再生部１０３は、トラッキング制御回路１２０と、マーク群検出回路１３０とを備えている。【０１８６】
トラッキング制御回路１２０は、ガイド受光素子が出力するプッシュプル信号（つまり、ガイドレーザ光ＬＢ１の戻り光から生成されるプッシュプル信号）に基づいて、トラッキング制御を行う。例えば、トラッキング制御回路１２０は、プッシュプル信号に基づいてトラッキング制御信号を生成すると共に、当該トラッキング制御信号を光ピックアップ１０２（より具体的には、光ピックアップ１０２をトラッキング方向に駆動するアクチュエータ）に出力することで、トラッキング制御を行う。尚、トラッキング制御そのものについては、既存のトラッキング制御と同様の態様で行われてもよいため、詳細な説明を省略する。【０１８７】
マーク群検出回路１３０は、ガイド受光素子が出力するプッシュプル信号（つまり、ガイドレーザ光ＬＢ１の戻り光から生成されるプッシュプル信号）に基づいて、ガイド層１２に形成されたマーク群ＭＧを検出する。より具体的には、マーク群検出回路１３０は、ガイド受光素子が出力するプッシュプル信号の信号レベルの変動を監視することで、マーク群ＭＧを検出すると共に、当該マーク群ＭＧが示す同期データ及びビットデータを検出する
このようなマーク群ＭＧを検出するために、マーク群検出回路１３０は、ＬＰＦ（Low Path Filter）１３１と、ＬＰＦ１３２と、Ｓ／Ｈ（Sample Hold）回路１３３と、Ｓ／Ｈ回路１３４と、比較器と１３５と、同期データ検出器１３６と、ビットデータ検出器１３７と、メモリ１３８と、再生タイミング生成部１３９とを備えている。【０１８８】
ガイド受光素子が出力するプッシュプル信号は、ＬＰＦ１３１及び１３２の双方に入力される。【０１８９】
ＬＰＦ１３１は、プッシュプル信号のノイズを除去するためのフィルタであって、例えば、マーク群ＭＧに起因した周波数の波形が透過するカットオフ周波数を有するフィルタである。ＬＰＦ１３１を透過したプッシュプル信号は、Ｓ／Ｈ回路１３３において所定のタイミング毎にサンプルホールドされる。Ｓ／Ｈ回路１３３においてサンプルホールドされたプッシュプル信号（つまり、信号レベル）は、比較器１３５に入力される。尚、Ｓ／Ｈ回路１３３においてサンプルホールドされたプッシュプル信号の信号レベルは、マーク群ＭＧのパターンによって変動し得る。【０１９０】
一方で、ＬＰＦ１３２は、プッシュプル信号の偏心成分に起因した波形がその位相も含めて透過するカットオフ周波数を有するフィルタである。ＬＰＦ１３２を透過したプッシュプル信号は、Ｓ／Ｈ回路１３４において所定のタイミング毎にサンプルホールドされる。Ｓ／Ｈ回路１３４においてサンプルホールドされたプッシュプル信号（つまり、信号レベル）は、比較器１３５に入力される。尚、Ｓ／Ｈ回路１３４においてサンプルホールドされたプッシュプル信号（つまり、信号レベル）は、プッシュプル信号の信号レベルの基準値（いわゆる、ゼロレベルであり、図１４参照）に相当する。【０１９１】
比較器１３５は、Ｓ／Ｈ回路１３３においてサンプルホールドされたプッシュプル信号の信号レベルと、Ｓ／Ｈ回路１３４においてサンプルホールドされたプッシュプル信号の信号レベルとを比較する。より具体的には、例えば、比較器１３５は、マーク群ＭＧのパターンに応じて変動するプッシュプル信号の信号レベルとプッシュプル信号の基準値との差分が閾値以上であるか否かを判定する。その結果、比較器１３５は、プッシュプル信号の信号レベルが、「０」であるのか、「＋」であるのか、又は「−」であるのかを判定する。【０１９２】
同期データ検出器１３６は、比較器１３５における比較結果に基づいて、同期データを検出する。つまり、同期データ検出器１３６は、比較器１３５における比較結果に基づいて、同期データに相当する態様で信号レベルが変動するプッシュプル信号を検出することで、同期データを検出する。【０１９３】
ビットデータ検出器１３７は、比較器１３５における比較結果に基づいて、ビットデータを検出する。つまり、ビットデータ検出器１３７は、比較器１３５における比較結果に基づいて、ビットデータに相当する態様で信号レベルが変動するプッシュプル信号を検出することで、ビットデータを検出する。尚、上述したように、ビットデータは、同期データに続いて現れる。このため、ビットデータ検出器１３７は、同期データ検出器１３６によって同期データが検出された後に、ビットデータを検出する動作を開始してもよい。【０１９４】
メモリ１３８は、ビットデータ検出器１３７によって検出されたビットデータを一時的に記憶する。メモリ１３８が記憶したビットデータは、適宜ＣＰＵ１１１へと入力される。その結果、ＣＰＵ１１１は、マーク群検出回路１３０が検出した複数のビットデータを組み合わせることで、制御情報（例えば、アドレス情報やクロック情報や記録開始タイミング情報等）を取得する。【０１９５】
再生タイミング生成部１３９は、Ｓ／Ｈ回路１３３や、Ｓ／Ｈ回路１３４や、比較器と１３５や、同期データ検出器１３６や、ビットデータ検出器１３７が動作するタイミングを規定する。具体的には、上述した記録マークＭＣ、ＭＬ及びＭＲの長さ（或いは、マーク群ＭＧの長さ）に応じた適切なタイミングでプッシュプル信号の信号レベルの変動が監視されるように、記録マークＭＣ、ＭＬ及びＭＲの長さ（或いは、マーク群ＭＧの長さ）に応じた適切なタイミングを、Ｓ／Ｈ回路１３３や、Ｓ／Ｈ回路１３４や、比較器と１３５や、同期データ検出器１３６や、ビットデータ検出器１３７に指示する。【０１９６】
（４−２）記録再生装置の動作の流れ
続いて、図２９から図３１を参照して、本実施例の記録再生装置１００の動作の流れについて説明する。【０１９７】
（４−２−１）動作の全体の流れ
はじめに、図２９を参照して、本実施例の記録再生装置１００の動作の全体の流れについて説明する。図２９は、本実施例の記録再生装置１００の動作の全体の流れを示すフローチャートである。【０１９８】
図２９に示すように、光ディスク１１が記録再生装置１００にローディングされると（ステップＳ１０）、光ピックアップ１０２からガイド層１２に対して、ガイドレーザ光ＬＢ１が照射される。このとき、トラッキング制御回路１２０は、ガイドレーザ光ＬＢ１の戻り光から生成されるプッシュプル信号に基づいて、ガイドレーザ光ＬＢ１のトラッキング制御を行う（ステップＳ２０）。加えて、記録再生装置１００が備える不図示のフォーカス制御回路は、ガイドレーザ光ＬＢ１の戻り光から生成されるプッシュプル信号に基づいて、ガイドレーザ光ＬＢ１のフォーカス制御を行う（ステップＳ２０）。【０１９９】
このとき、マーク群検出回路１３０は、ガイドレーザ光ＬＢ１の戻り光から生成されるプッシュプル信号に基づいて、ビットデータの検出を行ってもよい。その結果、ＣＰＵ１１１は、アドレス情報やクロック情報や記録開始タイミング情報等の制御情報を取得することができる。【０２００】
その後、光ピックアップ１０２から複数の記録層１３のうちの所定の記録層１３に対して、記録再生レーザ光ＬＢ２が照射される。このとき、ＣＰＵ１１１は、マーク群検出回路１３０が検出したビットデータを組み合わせることで得られるアドレス情報を参照しながら、記録再生レーザ光ＬＢ２が所定の記録層１３上の適切な領域（より具体的には、後述するディスク管理情報が記録されている領域）に照射されるように、光ピックアップ１０２及び信号記録再生部１０３を制御する。その結果、ＣＰＵ１１１は、光ディスク１１上での記録態様を示すディスク管理情報（例えば、メディアIdentification情報、エリア管理情報等）を取得する（ステップＳ３０）。【０２０１】
その後、ＣＰＵ１１１は、複数の記録層１３のうちの所望の記録層１３に対する記録動作が行われるか否かを判定する（ステップＳ４０）。【０２０２】
ステップＳ４０の判定の結果、所望の記録層１３に対する記録動作が行われると判定される場合には（ステップＳ４０：Ｙｅｓ）、記録再生装置１００は、記録動作を行う（ステップＳ５０）。尚、記録再生装置１００が行う記録動作は、図３０を参照しながら後に詳述する。【０２０３】
他方で、ステップＳ４０の判定の結果、所望の記録層１３に対する記録動作が行われないと判定される場合には（ステップＳ４０：Ｎｏ）、ＣＰＵ１１１は、複数の記録層１３のうちの所望の記録層１３に対する再生動作が行われるか否かを判定する（ステップＳ６０）。【０２０４】
ステップＳ６０における判定の結果、所望の記録層１３に対する再生動作が行われると判定される場合には（ステップＳ６０：Ｙｅｓ）、記録再生装置１００は、再生動作を行う（ステップＳ７０）。尚、記録再生装置１００が行う再生動作は、図３１を参照しながら後に詳述する。【０２０５】
他方で、ステップＳ６０における判定の結果、所望の記録層１３に対する再生動作が行われないと判定される場合には（ステップＳ６０：Ｎｏ）、記録再生装置１００は、動作を終了してもよい。【０２０６】
（４−２−２）記録動作の流れ
続いて、図３０を参照して、本実施例の記録再生装置１００の記録動作（図２９のステップＳ５０）の流れについて説明する。図３０は、本実施例の記録再生装置１００の記録動作（図２９のステップＳ５０）の流れを示すフローチャートである。【０２０７】
図３０に示すように、ＣＰＵ１１１は、所望のアドレス情報が示すガイド層１２上の領域に対してガイドレーザ光ＬＢ１が照射されるように、光ピックアップ１０２及び信号記録再生部１０３を制御する（ステップＳ５１）。このとき、このとき、ＣＰＵ１１１は、マーク群検出回路１３０が検出したビットデータを組み合わせることで得られるアドレス情報を参照しながら、光ピックアップ１０２及び信号記録再生部１０３を制御する。尚、ここでの「所望のアドレス情報」とは、例えば、記録動作を開始したい領域のアドレス情報が一例となる。【０２０８】
所望のアドレス情報が示すガイド層１２上の領域に対してガイドレーザ光ＬＢ１が照射された時点で、ＣＰＵ１１１は、所望の記録層１３に対して記録再生レーザ光ＬＢ２のフォーカスが合わせられるように、記録再生レーザ光ＬＢ２の戻り光から生成されるプッシュプル信号に基づいて、記録再生レーザ光ＬＢ２のフォーカス制御を行う（ステップＳ５２）。【０２０９】
更に、ＣＰＵ１１１は、ガイドレーザ光ＬＢ１の戻り光から生成されるプッシュプル信号に基づいて、ガイドレーザ光ＬＢ１のトラッキング制御を行う（ステップＳ５３）。【０２１０】
更に、ＣＰＵ１１１は、マーク群検出回路１３０が検出したビットデータを組み合わせることで得られるクロック情報及び記録開始タイミング情報を取得する（ステップＳ５４）。【０２１１】
その後、ＣＰＵ１１１は、現在のタイミングが、ステップＳ５４において取得した記録開始タイミング情報と一致するか否かを判定する（ステップＳ５５）。【０２１２】
ステップＳ５５の判定の結果、現在のタイミングが記録開始タイミング情報と一致しないと判定される場合には（ステップＳ５５：Ｎｏ）、ＣＰＵ１１１は、ステップＳ５５の判定を継続する。【０２１３】
他方で、ステップＳ５５の判定の結果、現在のタイミングが記録開始タイミング情報と一致すると判定される場合には（ステップＳ５５：Ｙｅｓ）、ＣＰＵ１１１は、ステップＳ５５０において取得したクロック情報に同期して、所望の記録層１３に対する記録動作を行うように光ピックアップ１０２及び信号記録再生部１０３を制御する（ステップＳ５６）。その結果、記録情報が所望の記録層１３に記録される。【０２１４】
その後、ＣＰＵ１１１は、記録動作を終了するか否かを判定する（ステップＳ５７）。例えば、ＣＰＵ１１１は、所定サイズの記録情報或いは今回の記録動作で記録するべき記録情報の記録が完了した場合には、記録動作を終了すると判定してもよい。【０２１５】
ステップＳ５７の判定の結果、記録動作を終了しないと判定される場合には（ステップＳ５７：Ｎｏ）、ＣＰＵ１１１は、記録動作を継続する。【０２１６】
他方で、ステップＳ５７の判定の結果、記録動作を終了すると判定される場合には（ステップＳ５７：Ｙｅｓ）、ＣＰＵ１１１は、今回の記録動作を反映するように管理情報を更新する。その後、記録再生装置１００は、記録動作を終了する。【０２１７】
（４−２−３）再生動作の流れ
続いて、図３１を参照して、本実施例の記録再生装置１００の再生動作（図２９のステップＳ７０）の流れについて説明する。図３１は、本実施例の記録再生装置１００の再生動作（図２９のステップＳ７０）の流れを示すフローチャートである。【０２１８】
図３１に示すように、ＣＰＵ１１１は、所望のアドレス情報が示すガイド層１２上の領域に対してガイドレーザ光ＬＢ１が照射されるように、光ピックアップ１０２及び信号記録再生部１０３を制御する（ステップＳ７１）。このとき、このとき、ＣＰＵ１１１は、マーク群検出回路１３０が検出したビットデータを組み合わせることで得られるアドレス情報を参照しながら、光ピックアップ１０２及び信号記録再生部１０３を制御する。尚、ここでの「所望のアドレス情報」とは、例えば、再生動作を開始したい領域のアドレス情報が一例となる。【０２１９】
所望のアドレス情報が示すガイド層１２上の領域に対してガイドレーザ光ＬＢ１が照射された時点で、ＣＰＵ１１１は、所望の記録層１３に対して記録再生レーザ光ＬＢ２のフォーカスが合わせられるように、記録再生レーザ光ＬＢ２の戻り光から生成されるプッシュプル信号に基づいて、記録再生レーザ光ＬＢ２のフォーカス制御を行う（ステップＳ７２）。【０２２０】
更に、ＣＰＵ１１１は、所望の記録層１３に記録された記録情報を示す記録マークに記録再生レーザ光ＬＢ２が照射されるように、記録再生レーザ光ＬＢ２の戻り光から生成されるプッシュプル信号に基づいて、記録再生レーザ光ＬＢ２のトラッキング制御を行う（ステップＳ７３）。但し、上述したように、ガイドレーザ光ＬＢ１の戻り光から生成されるプッシュプル信号に基づいてガイドレーザ光ＬＢ１のトラッキング制御を行うことで、実質的に記録再生レーザ光ＬＢ２のトラッキング制御を行ってもよい。【０２２１】
その後、ＣＰＵ１１１は、所望の記録層１３に対する再生動作を行うように光ピックアップ１０２及び信号記録再生部１０３を制御する（ステップＳ７６）。その結果、所望の記録層１３に記録された記録情報が再生される。【０２２２】
その後、ＣＰＵ１１１は、記録動作を終了するか否かを判定する（ステップＳ７７）。例えば、ＣＰＵ１１１は、所定サイズの記録情報或いは今回の再生動作で再生するべき記録情報の再生が完了した場合には、再生動作を終了すると判定してもよい。【０２２３】
ステップＳ７７の判定の結果、再生動作を終了しないと判定される場合には（ステップＳ７７：Ｎｏ）、ＣＰＵ１１１は、再生動作を継続する。【０２２４】
他方で、ステップＳ７７０の判定の結果、再生動作を終了すると判定される場合には（ステップＳ７７：Ｙｅｓ）、記録再生装置１００は、再生動作を終了する。【０２２５】
以上説明したように、本実施例の記録再生装置１００は、上述した本実施例の光ディスク１１に対する記録動作及び再生動作を好適に行うことができる。このため、本実施例の記録再生装置１００は、上述した本実施例の光ディスク１１が享受する各種効果と同様の効果を享受しながら、光ディスク１１に対する記録動作及び再生動作を好適に行うことができる。【０２２６】
尚、図２９から図３１は、記録再生装置１００が記録動作及び再生動作の双方を行う例を説明している。しかしながら、記録再生装置１００は、記録動作のみを行ってもよい（つまり、再生動作を行わなくともよい）し、再生動作のみを行ってもよい（つまり、記録動作を行わなくともよい）。【０２２７】
また、本発明は、請求の範囲及び明細書全体から読み取るこのできる発明の要旨又は思想に反しない範囲で適宜変更可能であり、そのような変更を伴う記録再生装置もまた本発明の技術思想に含まれる。
【符号の説明】
【０２２８】
１１  光ディスク
１２  ガイド層
１３  記録層
１０２  光ピックアップ
１０３  信号記録再生部
１１１  ＣＰＵ
１２０  トラッキング制御回路
１３０  マーク群検出回路
１３６  同期データ検出器
１３７  ビットデータ検出器
ＧＴ  グルーブトラック
ＬＴ  ランドトラック
ＭＧ  マーク群
ＭＬ、ＭＲ、ＭＣ  記録マーク
ＬＢ１  ガイドレーザ光
ＬＢ２  記録再生レーザ光
【図１】
2013108400.tif 000003
【図２】
2013108400.tif 000004
【図３】
2013108400.tif 000005
【図４】
2013108400.tif 000006
【図５】
2013108400.tif 000007
【図６】
2013108400.tif 000008
【図７】
2013108400.tif 000009
【図８】
2013108400.tif 000010
【図９】
2013108400.tif 000011
【図１０】
2013108400.tif 000012
【図１１】
2013108400.tif 000013
【図１２】
2013108400.tif 000014
【図１３】
2013108400.tif 000015
【図１４】
2013108400.tif 000016
【図１５】
2013108400.tif 000017
【図１６】
2013108400.tif 000018
【図１７】
2013108400.tif 000019
【図１８】
2013108400.tif 000020
【図１９】
2013108400.tif 000021
【図２０】
2013108400.tif 000022
【図２１】
2013108400.tif 000023
【図２２】
2013108400.tif 000024
【図２３】
2013108400.tif 000025
【図２４】
2013108400.tif 000026
【図２５】
2013108400.tif 000027
【図２６】
2013108400.tif 000028
【図２７】
2013108400.tif 000029
【図２８】
2013108400.tif 000030
【図２９】
2013108400.tif 000031
【図３０】
2013108400.tif 000032
【図３１】
2013108400.tif 000033
【国際調査報告】
2013108400.tif 000034
2013108400.tif 000035
2013108400.tif 000036
2013108400.tif 000037